(57)【要約】  自車両の運転行動を決定する際に、経路を走行する自車両Ｖ１が遭遇するシーンを評価する評価プロセッサ１１を備え、評価プロセッサ１１は、第１経路を走行する自車両Ｖ１の経時的な移動予測線を算出し、第１経路と交点を有する第２経路と、前記移動予測線との交点の位置に基づいて、前記自車両が遭遇する事象を抽出し、抽出された事象と自車両Ｖ１との関係を用いて、シーンを評価するシーン評価装置１０を提供する。
2017013748.tif 000002
【特許請求の範囲】
【請求項１】
自車両の運転行動を決定する際に、経路を走行する自車両が遭遇するシーンを評価する評価プロセッサを備え、
前記評価プロセッサは、
第１経路を走行する自車両の経時的な移動予測線を算出し、前記第１経路と交点を有する第２経路と、前記移動予測線との交点の位置に基づいて、前記自車両が遭遇する事象を抽出し、
前記抽出された事象と前記自車両との関係を用いて、前記シーンを評価するシーン評価装置。
【請求項２】
前記評価プロセッサは、
前記移動予測線と前記第２経路との交点のうち、第２経路の進行方向に沿って最も上流側に位置する交点の位置に基づいて前記事象を抽出する請求項１に記載のシーン評価装置。
【請求項３】
前記評価プロセッサは、
第１経路のうち車線が定義されていない領域を走行する場合には、地図情報を参照して、前記移動予測線を生成する請求項１又は２に記載のシーン評価装置。
【請求項４】
自車両の運転行動を決定する際に、経路を走行する自車両が遭遇するシーンを評価する評価プロセッサを備え、
前記評価プロセッサは、
第１経路を走行する自車両の経時的な移動予測帯を算出し、前記第１経路と交点を有する第２経路と、前記移動予測帯との交点のうち、最も早いタイミングで得られる交点であって、第２経路の進行方向に沿って最も上流側に位置する交点の位置に基づいて、前記自車両が遭遇する事象を抽出し、
前記抽出された事象と前記自車両との関係を用いて、前記シーンを評価するシーン評価装置。
【請求項５】
前記評価プロセッサは、
第１経路のうち車線が定義されていない領域を走行する場合には、地図情報を参照して、前記移動予測帯を生成する請求項４に記載のシーン評価装置。
【請求項６】
前記評価プロセッサは、
ノードとリンクが定義された地図情報を参照し、前記自車両が走行する第１経路に対応づけられたノードであって、他の複数のノードと接続関係が定義された第１ノードを抽出し、前記第１ノードと接続関係が定義された他のノードが属する経路を前記第２経路として選択する請求項１〜５の何れか一項に記載のシーン評価装置。
【請求項７】
前記評価プロセッサは、
前記抽出された前記自車両が遭遇する複数の事象の距離が所定値未満である場合には、前記複数の事象を一の事象に統合する請求項１〜６の何れか一項に記載のシーン評価装置。
【請求項８】
請求項１〜７の何れか一項に記載のシーン評価装置と、
経路を走行する自車両の運転行動を計画する運転計画プロセッサと、を備え、
前記運転計画プロセッサは、
前記評価プロセッサによって抽出された複数の事象に対して進行行動又は停止行動の何れか一方を決定する走行支援装置。
【請求項９】
経路を走行する自車両が遭遇するシーンを評価する評価プロセッサを用いて、
第１経路を走行する自車両の経時的な移動予測線を算出し、前記第１経路と交点を有する第２経路と、前記移動予測線との交点の位置に基づいて、前記自車両が遭遇する事象を抽出し、
前記抽出された事象と前記自車両との関係を用いて、前記シーンを評価するシーン評価方法。
【発明の詳細な説明】
【技術分野】
【０００１】
本発明は、車両が遭遇するシーンを評価するシーン評価装置、走行支援装置、シーン評価方法に関する。
【背景技術】
【０００２】
この種の装置に関し、マルチスケール認知を利用して、自車及び障害物の動線群を算出し、各動線ごとに自車と障害物の経路交点における両者の存在確率に基づいたリスクを予測し、運転行動を選択する技術が知られている（特許文献１）。
【先行技術文献】
【特許文献】
【０００３】
【特許文献１】特開２０１１−９６１０５号公報
【発明の概要】
【発明が解決しようとする課題】
【０００４】
従来の技術では、自車両の走行予定経路と他車両の走行予定経路の交点を算出する。
しかしながら、各経路の交差の態様によっては、走行予定経路と他車両の走行予定経路の交点と、走行予定経路と横断歩道との交点との出願順が逆転する場合があるという問題がある。【０００５】
本発明が解決しようとする課題は、自車両が遭遇する順序に従った事象を抽出するシーン評価装置を提供する。
【課題を解決するための手段】
【０００６】
本発明は、第１経路を走行する自車両の経時的な移動予測線を算出し、第１経路と交点を有する第２経路と、移動予測線との交点の位置に基づいて、自車両が遭遇する事象を抽出し、抽出された事象と自車両との関係を用いて、シーンを評価することにより、上記課題を解決する。
【発明の効果】
【０００７】
本発明によれば、第１経路を走行する自車両の経時的な移動予測線と第２経路との交点の位置に基づいて抽出された事象と自車両との関係からシーンを評価するので、演算負荷を低減しつつ、適切な運転行動を決定できる。
【図面の簡単な説明】
【０００８】
【図１】本実施形態に係る走行支援システムのブロック構成図である。
【図２Ａ】自車両が遭遇するシーンの評価手法を説明するための第１の図である。
【図２Ｂ】自車両が遭遇するシーンの評価手法を説明するための第２の図である。
【図２Ｃ】自車両が遭遇するシーンの評価手法を説明するための第３の図である。
【図２Ｄ】自車両が遭遇するシーンの評価手法を説明するための第４の図である。
【図２Ｅ】自車両が遭遇するシーンの評価手法を説明するための第５の図である。
【図２Ｆ】自車両が遭遇するシーンの評価手法を説明するための第６の図である。
【図２Ｇ】自車両が遭遇するシーンの評価手法を説明するための第７の図である。
【図３】交通規則を用いた事象の判断手法を説明するための図である。
【図４】事象を経時的に示す表示情報の一例である。
【図５Ａ】事象における運転行動の決定処理手法を説明するための第１の図である。
【図５Ｂ】事象における運転行動の決定処理手法を説明するための第２の図である。
【図６】運転行動の判断結果を示す表示情報の一例である。
【図７Ａ】事象の抽出処理を説明するための第１の図である。
【図７Ｂ】事象の抽出処理を説明するための第２の図である。
【図８】運転行動の判断結果を示す表示情報の一例である。
【図９Ａ】事象の抽出処理及び運転の計画処理を説明するための第１の図である。
【図９Ｂ】事象の抽出処理及び運転の計画処理を説明するための第１の図である。
【図１０】事象を経時的に示す表示情報の位置例である。
【図１１Ａ】駐車車両を含む事象の抽出処理を説明するための第１の図である。
【図１１Ｂ】駐車車両を含む事象の抽出処理を説明するための第２の図である。
【図１２】事象を経時的に示す表示情報の位置例である。
【図１３Ａ】停車候補位置の設定手法を説明するための第１の図である。
【図１３Ｂ】停車候補位置の設定手法を説明するための第２の図である。
【図１３Ｃ】停車候補位置の設定手法を説明するための第３の図である。
【図１３Ｄ】停車候補位置の設定手法を説明するための第４の図である。
【図１４Ａ】Ｔ字路における停車候補位置の設定手法を説明するための第１の図である。
【図１４Ｂ】Ｔ字路における停車候補位置の設定手法を説明するための第２の図である。
【図１５】渋滞時における停車候補位置の設定手法を説明するための第３の図である。
【図１６】本実施形態の走行支援システムの制御手順を示すフローチャート図である。
【図１７】図１６に示す制御手順のステップＳ１５のサブルーチンを示すフローチャートである。
【図１８】図１７に示す制御手順のステップＳ２３のサブルーチンを示すフローチャートである。
【図１９】事象の抽出手法を説明する場面を示す図である。
【図２０】事象を抽出する第１の手法の制御手順を示すフローチャート図である。
【図２１】事象を抽出する第１の手法を説明するための第１の図である。
【図２２】事象を抽出する第１の手法を説明するための第２の図である。
【図２３】事象を抽出する第１の手法を説明するための第３の図である。
【図２４Ａ】事象を抽出する第１の手法を説明するための第４の図である。
【図２４Ｂ】事象を抽出する第１の手法を説明するための第５の図である。
【図２５】事象を抽出する第２の手法の制御手順を示すフローチャート図である。
【図２６Ａ】事象を抽出する第２の手法を説明するための第１の図である。
【図２６Ｂ】事象を抽出する第２の手法を説明するための第２の図である。
【図２６Ｃ】事象を抽出する第２の手法を説明するための第３の図である。
【図２７Ａ】事象の統合手法を説明する場面を示す図である。
【図２７Ｂ】事象の統合手法を説明するための第１の図である。
【図２７Ｃ】事象の統合手法を説明するための第２の図である。
【図２７Ｄ】事象の統合手法を説明するための第３の図である。
【図２８】事象の統合手法の他の例を説明するための図である。
【図２９】本発明の効果を説明するための図である。
【図３０】図２９に示すシーンの事象を経時的に示す表示情報の一例である。
【発明を実施するための形態】
【０００９】
以下、本発明の実施形態を図面に基づいて説明する。本実施形態では、本発明に係る走行シーン評価装置を、車両に搭載された走行支援システムに適用した場合を例にして説明する。
【００１０】
図１は、走行支援システム１のブロック構成を示す図である。本実施形態の走行支援システム１は、走行支援装置１００と車載装置２００を備える。本発明の走行支援装置１００の実施の形態は限定されず、車両に搭載してもよいし、車載装置２００と情報の授受が可能な可搬の端末装置に適用してもよい。端末装置は、スマートフォン、ＰＤＡなどの機器を含む。走行支援システム１、走行支援装置１００、車載装置２００、及びこれらが備える各装置は、ＣＰＵなどの演算処理装置を備え、演算処理を実行するコンピュータである。
【００１１】
まず、車載装置２００について説明する。
本実施形態の車載装置２００は、車両コントローラ２１０、ナビゲーション装置２２０、対象物検出装置２３０、車線逸脱防止装置２４０、及び出力装置２５０を備える。車載装置２００を構成する各装置は、相互に情報の授受を行うためにＣＡＮ（Controller Area Network）その他の車載ＬＡＮによって接続されている。車載装置２００は、車載ＬＡＮを介して走行支援装置１００と情報の授受を行うことができる。本実施形態の車両コントローラ２１０は、検出装置２６０、駆動装置２７０、操舵装置２８０と連携して動作する。
【００１２】
本実施形態の車両コントローラ２１０は、検出装置２６０を備える。検出装置２６０は、舵角センサ２６１、車速センサ２６２、姿勢センサ２６３を有する。舵角センサ２６１は、舵転舵、操舵量、操舵速度、操舵加速度などの情報を検出し、車両コントローラ２１０へ出力する。車速センサ２６２は、車両の速度及び／又は加速度を検出し、車両コントローラ２１０へ出力する。姿勢センサ２６３は、車両の位置、車両のピッチ角、車両のヨー角車両のロール角を検出し、車両コントローラ２１０へ出力する。本実施形態の姿勢センサ２６３は、ジャイロセンサを含む。
【００１３】
本実施形態の車両コントローラ２１０は、エンジンコントロールユニット（Engine Control Unit, ECU)などの車載コンピュータであり、車両の運転状態を電子的に制御する。本実施形態の車両としては、電動モータを走行駆動源として備える電気自動車、内燃機関を走行駆動源として備えるエンジン自動車、電動モータ及び内燃機関の両方を走行駆動源として備えるハイブリッド自動車を例示できる。なお、電動モータを走行駆動源とする電気自動車やハイブリッド自動車には、二次電池を電動モータの電源とするタイプや燃料電池を電動モータの電源とするタイプのものも含まれる。
【００１４】
本実施形態の駆動装置２７０は、自車両Ｖ１の駆動機構を備える。駆動機構には、上述した走行駆動源である電動モータ及び／又は内燃機関、これら走行駆動源からの出力を駆動輪に伝達するドライブシャフトや自動変速機を含む動力伝達装置、及び車輪を制動する制動装置２７１などが含まれる。駆動装置２７０は、アクセル操作及びブレーキ操作による入力信号、車両コントローラ２１０又は走行支援装置１００から取得した制御信号に基づいてこれら駆動機構の各制御信号を生成し、車両の加減速を含む走行制御を実行する。駆動装置２７０に制御情報を送出することにより、車両の加減速を含む走行制御を自動的に行うことができる。なお、ハイブリッド自動車の場合には、車両の走行状態に応じた電動モータと内燃機関とのそれぞれに出力するトルク配分も駆動装置２７０に送出される。
【００１５】
本実施形態の操舵装置２８０は、ステアリングアクチュエータを備える。ステアリングアクチュエータは、ステアリングのコラムシャフトに取り付けられるモータ等を含む。操舵装置２８０は、車両コントローラ２１０から取得した制御信号、又はステアリング操作により入力信号に基づいて車両の進行方向の変更制御を実行する。車両コントローラ２１０は、操舵量を含む制御情報を操舵装置２８０に送出することにより、進行方向の変更制御を実行する。また、走行支援装置１００は、車両の各輪の制動量をコントロールすることにより車両の進行方向の変更制御を実行してもよい。この場合、車両コントローラ２１０は、各輪の制動量を含む制御情報を制動装置２７１へ送出することにより、車両の進行方向の変更制御を実行する。なお、駆動装置２７０の制御、操舵装置２８０の制御は、完全に自動で行われてもよいし、ドライバの駆動操作（進行操作）を支援する態様で行われてもよい。駆動装置２７０の制御及び操舵装置２８０の制御は、ドライバの介入操作により中断／中止させることができる。車両コントローラ２１０は、運転計画装置２０の運転計画に従って自車両の運転を制御する。
【００１６】
本実施形態の車載装置２００は、ナビゲーション装置２２０を備える。本実施形態のナビゲーション装置２２０は、自車両の現在位置から目的地までの経路を算出する。経路の算出手法は、ダイキストラ法やＡ＊などのグラフ探索理論に基づく出願時に知られた手法を用いることができる。算出した経路は、自車両の走行支援に用いるために、車両コントローラ２１０へ送出される。算出した経路は、経路案内情報として後述する出力装置２５０を介して出力される。
ナビゲーション装置２２０は、位置検出装置２２１を備える。本実施形態の位置検出装置２２１は、グローバル・ポジショニング・システム（Global Positioning System, GPS）を備え、走行中の車両の走行位置（緯度・経度）を検出する。
【００１７】
ナビゲーション装置２２０は、アクセス可能な地図情報２２２と、道路情報２２３と、交通規則情報２２４を備える。地図情報２２２、道路情報２２３、交通規則情報２２４は、ナビゲーション装置２２０が読み込むことができればよく、ナビゲーション装置２２０とは物理的に別体として構成してもよいし、通信手段を介して読み込みが可能なサーバに格納してもよい。
本実施形態の地図情報２２２は、いわゆる電子地図であり、緯度経度と地図情報が対応づけられた情報である。地図情報２２２は、各地点に対応づけられた道路情報２２３を有する。
【００１８】
本実施形態の道路情報２２３は、ノードと、ノード間を接続するリンクにより定義される。道路情報２２３は、道路の位置／領域により道路を特定する情報と、道路ごとの道路種別、道路ごとの道路幅、道路の形状情報とを含む。本実施形態の道路情報２２３は、各道路リンクの識別情報ごとに、交差点の位置、交差点の進入方向、交差点の種別その他の交差点に関する情報を対応づけて記憶する。また、本実施形態の道路情報２２３は、各道路リンクの識別情報ごとに、道路種別、道路幅、道路形状、直進の可否、進行の優先関係、追い越しの可否（隣接レーンへの進入の可否）その他の道路に関する情報を対応づけて記憶する。
【００１９】
ナビゲーション装置２２０は、位置検出装置２２１により検出された自車両の現在位置に基づいて、自車両が走行する第１経路を特定する。自車両が走行する第１経路は、道路ごとに特定してもよいし、上り／下りの方向が特定された車線ごとに特定してもよいし、自車両が実際に走行する単一の車線ごとに特定してもよいし、有限の区間ごとに特定してもよい。本実施形態のナビゲーション装置２２０は、後述する道路情報２２３を参照して、自車両が走行する第１経路として道路リンクを特定する。本実施形態の第１経路は、自車両Ｖ１が、将来通過する一つ又は複数の地点の特定情報（座標情報）を含む。第１経路は、自車両が走行する。次の走行位置を示唆する一つの点を少なくとも含む。目標経路は、連続した線により構成されてもよいし、離散的な点により構成されてもよい。
【００２０】
本実施形態の交通規則情報２２４は、経路上における一時停止、駐車／停車禁止、徐行、制限速度などの車両が走行時に遵守すべき交通上の規則である。各規則は、地点（緯度、経度）ごと、リンクごとに定義される。交通規則情報２２４には、道路側に設けられた装置から取得する交通信号の情報を含めてもよい。
【００２１】
本実施形態の車載装置２００は、対象物検出装置２３０を備える。本実施形態の対象物検出装置２３０は、自車両の周囲の状況を検出する。自車両の対象物検出装置２３０は、自車両の周囲に存在する障害物を含む対象物の存在及びその存在位置を検出する。特に限定されないが、本実施形態の対象物検出装置２３０はカメラ２３１を含む。本実施形態のカメラ２３１は、例えばＣＣＤ等の撮像素子を備える撮像装置である。カメラ２３１は、赤外線カメラ、ステレオカメラでもよい。カメラ２３１は自車両の所定の位置に設置され、自車両の周囲の対象物を撮像する。自車両の周囲は、自車両の前方、後方、前方側方、後方側方を含む。カメラ２３１により撮像される対象物は、標識などの静止物体を含む。対象物は、歩行者、二輪車、四輪車などの他車両などの移動物体を含む。対象物は、ガードレール、中央分離帯、縁石などの道路構造物を含む。
【００２２】
対象物検出装置２３０は、画像データを解析し、その解析結果に基づいて対象物の種別を識別してもよい。対象物検出装置２３０は、パターンマッチング技術などを用いて、画像データに含まれる対象物が、車両であるか、歩行者であるか、標識であるか否かを識別する。対象物検出装置２３０は、取得した画像データを処理し、自車両の周囲に存在する対象物の位置に基づいて、自車両から対象物までの距離を取得する。特に、対象物検出装置２３０は、対象物と自車両との位置関係を取得する。
【００２３】
なお、本実施形態の対象物検出装置２３０は、レーダー装置２３２を用いてもよい。レーダー装置２３２としては、ミリ波レーダー、レーザーレーダー、超音波レーダーなどの出願時に知られた方式のものを用いることができる。対象物検出装置２３０は、レーダー装置２３２の受信信号に基づいて対象物の存否、対象物の位置、対象物までの距離を検出する。対象物検出装置２３０は、レーザーレーダーで取得した点群情報のクラスタリング結果に基づいて、対象物の存否、対象物の位置、対象物までの距離を検出する。
【００２４】
他車両と自車両とが車車間通信をすることが可能であれば、対象物検出装置２３０は、他車両の車速センサが検出した他車両の車速、加速度を、他車両が存在する旨を対象物情報として取得してもよい。もちろん、対象物検出装置２３０は、高度道路交通システムの外部装置から他車両の位置、速度、加速度を含む対象物情報を取得することもできる。
【００２５】
本実施形態の車載装置２００は、車線逸脱防止装置２４０を備える。車線逸脱防止装置２４０は、カメラ２４１、道路情報２４２を備える。カメラ２４１は、対象物検出装置のカメラ２３１を共用してもよい。道路情報２４２は、ナビゲーション装置の道路情報２２３を共用してもよい。車線逸脱防止装置２４０は、カメラ２４１の撮像画像から自車両が走行する第１経路のレーンを検出する。車線逸脱防止装置２４０は、自車両が走行している第１車線を認識し、車線のレーンマーカの位置と自車両の位置とが所定の関係を維持するように、自車両の動きを制御する車線逸脱防止機能（レーンキープサポート機能）を備える。本実施形態の走行支援装置１００は車線の中央を自車両が走行するように、自車両の動きを制御する。走行支援装置１００は、車線のレーンマーカから自車両までの路幅方向に沿う距離が所定値域となるように、自車両の動きを制御してもよい。なお、本実施形態におけるレーンマーカは、レーンを規定する機能を有するものであれば限定されず、路面に描かれた線図であってもよいし、レーンの間に存在する植栽であってもよいし、レーンの路肩側に存在するガードレール、縁石、歩道、二輪車専用道路などの道路構造物であってもよい。また、レーンマーカは、レーンの路肩側に存在する看板、標識、店舗、街路樹などの不動の物体であってもよい。
後述する評価プロセッサ１１は、対象物検出装置２３０により検出された対象物を、経路に対応づけて記憶する。つまり、評価プロセッサ１１は、どの経路上に対象物が存在するかという情報を有する。
【００２６】
本実施形態の車載装置２００は、出力装置２５０を備える。出力装置２５０は、ディスプレイ２５１、スピーカ２５２を備える。本実施形態の出力装置２５０は、走行支援に関する各種の情報をユーザ又は周囲の車両の乗員に向けて出力する。本実施形態において、出力装置２５０は、立案された運転行動計画、その運転行動計画に基づく走行制御に関する情報を出力する。第１経路（目標経路）上を自車両に走行させる制御情報に応じた情報として、操舵操作や加減速が実行されることをディスプレイ２５１、スピーカ２５２を介して、自車両の乗員に予め知らせる。また、これらの走行支援に関する情報を車室外ランプ、車室内ランプを介して、自車両の乗員又は他車両の乗員に予め知らせてもよい。また、本実施形態の出力装置２５０は、通信装置を介して、高度道路交通システム（Intelligent Transport Systems：ITS）などの外部装置に走行支援に関する各種の情報を出力してもよい。
【００２７】
次に、走行支援装置１００について説明する。
本実施形態の走行支援装置１００は、シーン評価装置１０と、運転計画装置２０と、出力装置３０とを備える。出力装置３０は、先述した車載装置２００の出力装置２５０と同様の機能を有する。ディスプレイ２５１、スピーカ２５２を、出力装置３０の構成として用いる。シーン評価装置１０と、運転計画装置２０と、出力装置３０とを有する。各装置は、有線又は無線の通信回線を介して互いに情報の授受が可能である。
【００２８】
まず、シーン評価装置１０について説明する。
シーン評価装置１０は、シーン評価装置１０の制御装置として機能する評価プロセッサ１１を備える。評価プロセッサ１１は、自車両の運転行動を決定する際に、経路を走行する自車両が遭遇するシーンを評価するために用いられる演算装置である。具体的に、評価プロセッサ１１は、自車両が遭遇するシーンを評価する処理を実行させるプログラムが格納されたＲＯＭ（Read Only Memory）と、このＲＯＭに格納されたプログラムを実行することで、シーン評価装置１０として機能する動作回路としてのＣＰＵ（Central Processing Unit）と、アクセス可能な記憶装置として機能するＲＡＭ（Random Access Memory）と、を備えるコンピュータである。評価プロセッサ１１は、自車両が遭遇するシーンを評価する処理を実行させるプログラムが記憶された記憶媒体を備える。
【００２９】
本実施形態に係るシーン評価装置１０の評価プロセッサ１１は、以下の処理を実行する。
（１）自車両が走行する第１経路と交点を有する第２経路を抽出する処理（経路抽出処理），
（２）第１経路と各第２経路との関係に基づいて、第１経路を走行する自車両が遭遇する複数の事象を抽出する処理（事象抽出処理），
（３）抽出された各事象と自車両との関係を用いて、シーンを評価する処理（評価処理）．
【００３０】
本実施形態の評価プロセッサ１１は、経路抽出機能を実現する第１ブロックと、事象抽出機能を実現する第２ブロックと、シーン評価機能を実現する第３ブロックとを有する。第１ブロックは経路抽出処理を実行し、第２ブロックは事象抽出処理を実行し、第３ブロックは評価処理を実行する。本実施形態の評価プロセッサ１１は、上記各機能を実現するため、又は各処理を実行するためのソフトウェアと、上述したハードウェアとの協働により各機能を実行する。
【００３１】
以下、図２Ａ〜図２Ｇに基づいて本実施形態に係る評価プロセッサ１１が実行する各処理について説明する。
まず、評価プロセッサ１１の経路抽出処理について説明する。
【００３２】
本実施形態の評価プロセッサ１１は、自車両の走行中又は走行が予定されている第１経路を算出する。評価プロセッサ１１は、第１経路を算出するために、自車情報を取得する。評価プロセッサ１１は、位置検出装置２２１から自車両の現在位置を取得する。評価プロセッサ１１は、地図情報２２２を参照し、取得した現在位置、進行方向を用いて第１経路を算出する。評価プロセッサ１１は、ナビゲーション装置２２０が求めた自車両の走行予定経路を第１経路として取得してもよい。評価プロセッサ１１は、ナビゲーション装置２２０が求めた、現在位置から目的地に至るまでの案内経路を第１経路として取得してもよい。
【００３３】
本実施形態の評価プロセッサ１１は、自車両の走行中又は走行が予定されている第１経路と交点を有する第２経路を抽出する。本実施形態における第２経路は、第１経路と交点を有する経路である。第１経路と交点を有する経路とは、第１経路と交わる経路、第１経路に流入する経路、第１経路から流入する経路、第１経路と交差する経路を含む。
【００３４】
評価プロセッサ１１は、自車両Ｖ１が評価の対象となるシーンに遭遇したかを判断する。
具体的に、評価プロセッサ１１は、自車両Ｖ１が走行する第１経路が、他の第２経路と交わるシーンに遭遇したかを判断する。
【００３５】
図２Ａに示す場面を例に説明する。この場面では、自車両Ｖ１は、現時点において、第１経路Ｍ１Ｌ上を走行する。評価プロセッサ１１は、地図情報２２２のリンク情報又は道路情報２２３を参照し、位置検出装置２２１から取得した現在位置が属するリンクを含む第１経路Ｍ１Ｌを抽出する。第１経路Ｍ１Ｌは、自車両Ｖ１の現在位置が属する経路である。第１経路Ｍ１Ｌは、地図情報２２２又は道路情報２２３において定義されたリンクＩＤにより識別される。自車両Ｖ１が走行する第１経路として、自車両Ｖ１の現在位置が含まれる第１経路Ｍ１Ｌを特定する。
【００３６】
評価プロセッサ１１は、自車両Ｖ１が走行する予定の第１経路を算出する。
図２Ｂは、自車両Ｖ１が走行する予定の第１経路ＢＶ１Ｌを判断する。評価プロセッサ１１は、ナビゲーション装置２２０が演算した目的地に至る経路情報から第１経路ＢＶ１Ｌを判断してもよいし、自車両Ｖ１の左折意思を示すウィンカー信号から判断してもよい。なお、ウィンカー信号は車両コントローラ２１０を介して取得する。
【００３７】
図２Ｃは、第１経路ＢＶ１Ｌが交流する交差点を例に示す図である。図２Ｃには、各車線を走行する車両が走行する可能性のある全経路を重畳して示す。図２Ｃに示すように、他車両Ｖ２は、直進又は左折の２つの走行可能経路を有し、他車両Ｖ３は直進、右折、左折の３つの走行可能経路を有し、他車両Ｖ４は直進、右折、左折の３つの走行可能経路を有する。自車両Ｖ１が第１経路ＢＶ１Ｌに沿って走行する際には、図２Ｃに示す全ての経路に関する情報について判断することが求められる。
【００３８】
本実施形態の評価プロセッサ１１は、第１経路ＢＶ１Ｌと交点を有する第２経路を抽出する。本実施形態における第２経路は、第１経路と交差、第１経路に突き当たる（Ｔ字）、第１経路に合流する、第１経路に連なる領域内を通過する経路である。
【００３９】
本実施形態の評価プロセッサ１１は、第２経路の抽出手法を説明する。
まず、本実施形態の評価プロセッサ１１は、自車両の運転行動を決定する際に評価する対象となる「自車両が遭遇するシーン」の領域を特定する。評価プロセッサ１１は、第１経路Ｍ１Ｌと交点を有するリンクが属する第２経路が存在する場合には、評価対象となるシーンに自車両Ｖ１が遭遇することを予測する。一例はあるが、評価プロセッサ１１は、第１経路Ｍ１Ｌと第２経路の交点（例えば、図２Ａの交差点中心Ｒ０）から所定距離以内の領域Ｒ１に、自車両Ｖ１の現在位置が属した場面を、評価対象となるシーンとして特定する。
【００４０】
評価プロセッサ１１は、自車両Ｖ１が評価シーンに遭遇したときに、第２経路の抽出を実行する。評価プロセッサ１１は、自車両Ｖ１が遭遇する評価対象のシーンに対応する領域（図２ＡのＲ１）内に存在する第２経路の抽出を行う。このように評価対象シーンごとに、第２経路を抽出し、シーンを評価することにより、処理負荷を増大させることなく、自車両が遭遇した場面（シーン）がどのような状態であるかを評価できる。
【００４１】
以下、図２Ｄ〜２Ｇに基づいて、図２Ｂに示すシーンにおける第２経路の抽出手法を説明する。まず、図２Ｄに示すように、本実施形態の評価プロセッサ１１は、他車両Ｖ２が走行する可能性のある経路を判断する。評価プロセッサ１１は、地図情報２２２、道路情報２２３、交通規則情報、カメラ２３１の撮像画像を用いて、他車両Ｖ２（Ｖ３，Ｖ４についても同じ）が走行する可能性のある経路を算出する。
【００４２】
図２Ｄに示すように、他車両Ｖ２は、直進する第２経路ＢＶ２Ｓと、左折する第２経路ＢＶ２Ｌと、右折する第２経路ＢＶ２Ｒに進行する可能性がある。図２Ｅに示すように、他車両Ｖ３は、直進する第２経路ＢＶ３Ｓと、左折する第２経路ＢＶ３Ｌと、右折する第２経路ＢＶ３Ｒに進行する可能性がある。図２Ｆに示すように、他車両Ｖ４は、直進する第２経路ＢＶ４Ｓと、左折する第２経路ＢＶ４Ｌと、右折する第２経路ＢＶ４Ｒに進行する可能性がある。つまり、各他車両が進行する経路は各３つずつ存在する。
【００４３】
本実施形態の評価プロセッサ１１は、上記全経路（他車両が走行可能な全経路）の中から、自車両Ｖ１の第１経路ＢＶ１Ｌと交差する可能性がある経路を絞り込む。評価プロセッサ１１は、図２Ｇに示すように、自車両Ｖ１が走行する予定の第１経路ＢＶ１Ｌと他の経路との交点ＱＶ１２，ＱＶ１３を抽出する。そして、第１経路ＢＶ１Ｌと交点ＱＶ１２を共有する第２経路ＢＶ２Ｓと、第１経路ＢＶ１Ｌと交点ＱＶ１２を共有する第２経路ＢＶ３Ｒとを抽出する。この処理により、評価プロセッサ１１は、自車両Ｖ１が遭遇するシーン（交差点通過の場面）において存在する９本の経路のうち、第１経路ＢＶ１Ｌと交点を有する２本の第２経路ＢＶ２Ｓ，ＢＶ３Ｒを抽出する。抽出された第２経路ＢＶ２Ｓ，ＢＶ３Ｒは、第１経路ＢＶ１Ｌと交点を有し、自車両Ｖ１が遭遇するシーンを構成する可能性が高い。このように、自車両Ｖ１が走行する第１経路と関係のある多くの経路を分解し、その中から、自車両Ｖ１の運転計画に考慮すべき第２経路のみを抽出できる。
【００４４】
本実施形態の評価プロセッサ１１は、第１経路ＢＶ１Ｌと第２経路ＢＶ２Ｓ、ＢＶ３Ｒとの関係に基づいて、第１経路ＢＶ１Ｌを走行する自車両Ｖ１が遭遇する複数の事象を抽出する。自車両Ｖ１が遭遇する事象とは、自車両Ｖ１が第１経路と第２経路との交点を通過する、自車両Ｖ１が第１経路から第２経路へ進入する、自車両Ｖ１が他車両Ｖ２，Ｖ３，Ｖ４と接近する、自車両Ｖ１が他車両Ｖ２，Ｖ３，Ｖ４とすれ違う、などの自車両Ｖ１に起こる事柄、出来事、場面である。事象は、その事柄に自車両が遭遇する場所として表現できる。このため、本明細書では、「事象」を、地点、交差点、交点などの位置情報により特定して説明することもある。
【００４５】
本実施形態の評価プロセッサ１１は、自車両Ｖ１が走行する予定の第１経路ＢＶ１Ｌと第２経路ＢＶ２Ｓ，ＢＶ３Ｒとの交点ＱＶ１２，ＱＶ１３に応じた地点を、第１経路ＢＶ１Ｌを走行する自車両Ｖ１が事象に遭遇する地点として判断する。評価プロセッサ１１は、第１経路ＢＶ１Ｌと第２経路ＢＶ２Ｓ，ＢＶ３Ｒとの交点ＱＶ１２，ＱＶ１３を、自車両Ｖ１が遭遇する事象として位置づける。交点ＱＶ１２，ＱＶ１３において、自車両Ｖ１は、第２経路ＢＶ２Ｓ，ＢＶ３Ｒに進入（合流）するという事象に遭遇する。自車両Ｖ１は、他車両Ｖ２，Ｖ３，Ｖ４と接近するという事象に遭遇する。このように、第１経路と第２経路との関係から事象と遭遇する場所を抽出するので、自車両Ｖ１の運転計画に影響を与える事象のみを考慮できる。
【００４６】
本実施形態の評価プロセッサ１１は、交通規則情報２２４を参照し、第１経路の交通規則と各第２経路の交通規則から導かれる関係を用いて、第１経路を走行する自車両Ｖ１が遭遇する事象を抽出する。交通規則情報２２４は、一時停止位置、進入禁止、一方通行などの情報がリンク（経路）や位置情報に対応づけられた情報である。本処理において、地図情報２２２、道路情報２２３を参照してもよい。
評価プロセッサ１１は、停止の交通規則を事象として認識する。評価プロセッサ１１は、停止が定義されている位置を、自車両Ｖ１が事象と遭遇する位置として抽出する。抽出された事象の位置は、経路（リンクを含む）に対応づけられる。同様に、評価プロセッサ１１は、進入禁止の交通規則を事象として認識する。評価プロセッサ１１は、進入禁止が定義されている位置よりも上流側の位置（走行方向の上流側）を、自車両Ｖ１が事象と遭遇する位置として抽出する。抽出された事象の位置は、経路（リンクを含む）に対応づけられる。評価プロセッサ１１は、交差点の中央部（図２Ａの領域Ｒ２）などの停止や禁止が定義されている領域よりも上流側の位置（走行方向の上流側）を、自車両Ｖ１が事象と遭遇する位置として抽出する。抽出された事象の位置は、経路（リンクを含む）に対応づけられる。
【００４７】
本実施形態の評価プロセッサ１１は、第１経路と第２経路の交通規則情報２２４から、第１経路の第２経路に対する優先度を算出し、この優先度を用いて第１経路を走行する自車両Ｖ１の事象を抽出する。
【００４８】
本実施形態の評価プロセッサ１１は、図３に示すシーン（場面）において、交通規則情報２２４を参照し、第１経路ＢＶ１Ｌの停止線ＳＴ１を抽出する。同様に、評価プロセッサ１１は第２経路ＢＶ２Ｓの停止線ＳＴ２、第２経路ＢＶ３Ｒの停止線ＳＴ３を抽出する。評価プロセッサ１１は、交点ＱＶ１２にて交わることが予測される、第２経路ＢＶ２Ｓの停止線ＳＴ２の停止規則と、第１経路ＢＶ１Ｌの停止線ＳＴ１の停止規則とを比較し、その関係を判断する。いずれか一方の走行が優先的に許可され、他方の走行が禁止されるという場合には、走行が優先的に許可される停止線については、事象の候補から除く。第２経路の走行が禁止され、第１経路の走行が優先的に許可される交通の下では、第２経路を走行する他車両Ｖ２は、第１経路を走行する自車両Ｖ１の走行に影響を与えないからである。図３に示す例では、第１経路ＢＶ１Ｌの停止線ＳＴ１の停止規則、及び第２経路ＢＶ２Ｓの停止線ＳＴ２の停止規則は、いずれも必ず停止することが求められている。評価プロセッサ１１は、第１経路ＢＶ１Ｌと第２経路ＢＶ２Ｓの優先度を判断できない。このため、交点ＱＶ１２は事象の候補から除かない。
【００４９】
本実施形態の評価プロセッサ１１は、第１経路と第２経路の交通規則情報２２４に含まれる信号情報から第１経路の第２経路に対する優先度を算出し、この優先度を用いて第１経路を走行する自車両Ｖ１の事象を抽出する。信号情報は、逐次変更される情報であるので、カメラ２３１，２４１の撮像画像により認識してもよいし、ＩＴＳシステムを介して取得してもよい。本実施例ではナビゲーション装置２２０の記憶装置を介して信号情報を取得する態様を説明するが、評価プロセッサ１１は信号情報を直接取得してもよい。
【００５０】
本実施形態の評価プロセッサ１１は、図３に示すシーン（場面）において、交通規則情報２２４を参照し、第１経路ＢＶ１Ｌに設置された信号機ＳＧ１が示す信号を抽出する。同様に、評価プロセッサ１１は第２経路ＢＶ２Ｓに設置された信号機ＳＧ２が示す信号を抽出する。
【００５１】
本実施形態の評価プロセッサ１１は、通行が許可されている（青信号）経路の優先度を、停止が指示されている（通行が禁止されている：赤信号）経路の優先度よりも相対的に高く設定する。交点を有する二つの経路のいずれもが通行が許可されている場合には、優先度を求めることができないので、優先度の設定は行わない。ちなみに、青信号は、進行の許可を意味し、他の色で表示してもよい。
【００５２】
第１経路ＢＶ１Ｌの交点ＱＶ１２に設置された信号機ＳＧ１が青信号を示し、第２経路ＢＶ２Ｓに設置された信号機ＳＧ２が赤信号を示すとき、評価プロセッサ１１は、第１経路ＢＶ１Ｌの走行は第２経路ＢＶ２Ｓよりも優先されると判断する。走行が禁止される第２経路ＢＶ２Ｓとの交点ＱＶ１２は、事象の候補から除く。
【００５３】
第１経路ＢＶ１Ｌの交点ＱＶ１２に設置された信号機ＳＧ１が青信号を示し、第２経路ＢＶ３Ｒに設置された信号機ＳＧ３が青信号を示すとき、第１経路ＢＶ１Ｌの走行及び第２経路ＢＶ２Ｓの走行はいずれも許可されている。評価プロセッサ１１は、第１経路ＢＶ１Ｌと第２経路ＢＶ２Ｓの優先度を判断できない。このため、交点ＱＶ１２は事象の候補から除かない。
【００５４】
本実施形態の評価プロセッサ１１は、第１経路と第２経路の道路情報２２３から、第１経路の第２経路に対する優先度を算出し、この優先度を用いて第１経路を走行する自車両Ｖ１の事象を抽出する。道路情報２２３は、Ｔ字路における優先経路（車線）と非優先経路（車線）の識別、車線幅に応じた優先経路と非優先経路の識別、道路形状に応じた優先経路と非優先経路の識別を記憶する。道路情報２２３は、Ｔ字路を構成する経路について、一方を優先経路と定義し、他方を非優先経路と定義する。道路情報２２３は、交点を持つ経路について、車線幅が広い経路を優先経路と定義し、車線幅が狭い車線を非優先経路と定義する。もちろん、実際の交通状態に応じて、車線幅が狭い経路を優先経路とすることもある。道路情報２２３は、合流する経路について、主経路を優先経路と定義し、合流する経路を非優先経路と定義する。道路情報２２３は、曲率が相対的に大きい経路を優先経路と定義し、曲率が相対的に小さい経路を非優先経路と定義する。もちろん、実際の交通状態に応じて、曲率が相対的に小さい経路を優先経路とすることもある。
【００５５】
本実施形態の評価プロセッサ１１は、自車両Ｖ１の周囲に存在する物体の検出情報を用いて、第１経路を走行する自車両Ｖ１が遭遇する事象を抽出する。評価プロセッサ１１は、対象物検出装置２３０により検出された対象物（歩行者、他車両、道路構造物などを含む物体）が存在することを、自車両Ｖ１が遭遇する事象として認識する。評価プロセッサ１１は、自車両Ｖ１と検出された対象物との距離が所定値未満であるときに、その対象物の存在を事象として抽出するようにしてもよい。評価プロセッサ１１は、自車両Ｖ１と検出された対象物とが接触するまでの予測時間離が所定値未満であるときに、その対象物の存在を事象として抽出するようにしてもよい。
【００５６】
本実施形態の評価プロセッサ１１は、対象物の位置情報を用いて、第１経路を走行する自車両Ｖ１が遭遇する事象を抽出する。対象物とは、工事現場、故障車、回避領域などの一時的な交通規制に関する対象を含む。物体が存在する位置の情報は、道路情報２２３に含めてもよい。物体が存在する位置の情報は、ＩＴＳなどの路側の情報提供装置から受信できる。
【００５７】
評価プロセッサ１１は、対象物検出装置２３０により検出された対象物を、経路に対応づけて、アクセス可能な状態で記憶する。評価プロセッサ１１は、どの経路上に対象物が存在するかという情報を有する。さらに、評価プロセッサ１１は、抽出された第２経路に対象物が存在するか否か、第２経路上の対象物と自車両との位置関係、第２経路上の対象物と自車両との接触の可能性を判断することができる。
【００５８】
本実施形態の評価プロセッサ１１は、抽出された複数の事象の位置を、各経路に対応づける。評価プロセッサ１１は、抽出された複数の事象を自車両Ｖ１が遭遇する順序に沿って並べ替える。本実施形態の評価プロセッサ１１は、第１経路を走行する自車両Ｖ１の位置の遷移と事象の位置とから、遭遇する事象の順序を求め、事象を自車両Ｖ１が遭遇する順序に沿って並べ替える。
【００５９】
本実施形態の評価プロセッサ１１は、遭遇する対象物を抽出し、その遭遇位置を各経路に対応づける。評価プロセッサ１１は、対象物検出装置２３０により検出された対象物を自車両Ｖ１が遭遇する順序に沿って並べ替える。本実施形態の評価プロセッサ１１は、第１経路を走行する自車両Ｖ１の位置の遷移と対象物の位置とから、対象物との遭遇順序を求め、対象物を自車両Ｖ１が遭遇する順序に沿って並べ替える。
【００６０】
続いて、出力装置３０について説明する。
出力装置３０は、出力制御プロセッサ３１を備える。出力制御プロセッサ３１は、出力装置３０としてのディスプレイ２５１を用いて、情報を表示する。出力制御プロセッサ３１は、評価プロセッサにより抽出された事象を示す情報を、自車両が遭遇する順序に沿って並べて表示する。
出力制御プロセッサ３１は、事象を示す情報を表示する処理を実行させるプログラムが格納されたＲＯＭ（Read Only Memory）と、このＲＯＭに格納されたプログラムを実行することで、出力装置３０として機能する動作回路としてのＣＰＵ（Central Processing Unit）と、アクセス可能な記憶装置として機能するＲＡＭ（Random Access Memory）と、を備えるコンピュータである。出力制御プロセッサ３１は、事象を示す情報を表示する処理を実行させるプログラムが記憶された記憶媒体を備える。
【００６１】
図４は、事象を経時的に示す表示情報ＶＷの例である。図４に示す表示例では、自車両Ｖ１の第１経路を矢印Ｔで表示する。矢印の方向が、自車両Ｖ１の時間軸である。その矢印Ｔ上に事象として抽出された交点ＱＶ１２，ＱＶ１３を９０度に曲げた矢印を重畳して表示する。併せて、自車両Ｖ１が遭遇する事象として、信号機ＳＧ１又は停止線ＳＴ１、第２経路との交点ＱＶ１２，ＱＶ１３を表記してもよい。事象（遭遇位置・遭遇タイミング）を示す情報は、記号であってもよいし、抽象的なマークであってもよい。彩色、大きさ等は任意に決定できる。
【００６２】
出力制御プロセッサ３１は、自車両Ｖ１から各事象までの実際の距離の比に応じた位置に、抽出された事象を示す記号、マーク等の情報を表示する。図４に示すように、出力制御プロセッサ３１は、第１経路を示す矢印Ｔの長さを所定距離とし、自車両Ｖ１と交点ＱＶ１２との実際の距離と、自車両Ｖ１と交点ＱＶ１３との実際の距離との比が表示情報ＶＷにおいて表現されるように、矢印Ｔに対するＱＶ１２，ＱＶ１３の矢印の位置を決定する。出力制御プロセッサ３１は、自車両Ｖ１の速度を考慮し、第１経路を示す矢印Ｔの長さを所定距離とし、自車両Ｖ１が交点ＱＶ１２に到達する時間と、自車両Ｖ１が交点ＱＶ１３に到達する時間との比が表示情報ＶＷにおいて表現されるように、矢印Ｔに対するＱＶ１２，ＱＶ１３の矢印の位置を決定してもよい。
【００６３】
なお、出力制御プロセッサ３１は、遭遇する事象が対象物（物体）である場合には、対象物の位置、対象物の相対速度を考慮して自車両Ｖ１との位置関係を求める。本例の事象は、自車両Ｖ１の後方に存在する対象物も含む、自車両Ｖ１に、その後方から接近する車両は、自車両Ｖ１が遭遇する事象として認識できる。後方から接近する他車両についても、その位置及び相対速度を考慮して自車両Ｖ１との位置関係を求める。
【００６４】
出力制御プロセッサ３１は、事象が、経路の交点、交通規則において定義された停止位置、道路構造物などの静止物、歩行者、他車両などの移動体を含む場合であっても、抽出された複数の事象に含まれる静止物と移動体を、自車両が遭遇する順序という共通の時間軸に沿って並べ替える。他車両には、後方から接近する他車両も含まれる。
【００６５】
このように、第１経路を走行する自車両Ｖ１が遭遇する事象を、自車両が遭遇する順序に沿って並べて表示することにより、自車両Ｖ１のドライバは、どのような事象に、どのような順序で遭遇するかを、視覚的に認識できる。
【００６６】
本実施形態の出力制御プロセッサ３１は、後述する運転計画装置２０の出力した情報を表示する。具体的な表示例については後述する。
【００６７】
ここで、交通規則情報２２４を用いたシーンの評価処理について説明する。本例の場面を図５Ａに示す。図５Ａに示すように、第１経路ＢＶ１を走行する自車両Ｖ１は信号機ＳＧ１が設けられた交差点を左折通過する。評価プロセッサ１１は、第１経路ＢＶ１と交点を有する経路を抽出する。先述した例と同様に、本例では、図５Ｂに示す第２経路ＢＶ２Ｓ及び第２経路ＢＶ３Ｒが抽出される。評価プロセッサ１１は、位置情報に対応づけられた交通規則情報２２４を参照し、第１経路ＢＶ１Ｌ上に定義された交通規則を参照する。評価プロセッサ１１は、第１経路ＢＶ１Ｌ上に停止線ＳＴ１を抽出する。停止線ＳＴ１の位置を第１経路ＢＶ１Ｌに対応づけて記憶する。評価プロセッサ１１は、第２経路ＢＶ２Ｓ及び第２経路ＢＶ３Ｒについても同様に、交通規則情報２２４を参照し、他車両の運転に関係する交通規則を抽出し、各第２経路に対応づけて記憶する。評価プロセッサ１１は、交通規則情報２２４に記憶されている交通規則が適用される位置（停止線の位置）に応じて、自車両Ｖ１の事象の位置を決定する。本例において、評価プロセッサ１１は、交通規則情報２２４に記憶されている停止線ＳＴ１と第１経路ＢＶ１Ｌとの交点ＱＶ１Ｓの位置を、事象の位置として決定する。
【００６８】
評価プロセッサ１１は、経路同士の優先度を検討する。図５Ｂに示す例では、第１経路ＢＶ１Ｌが青信号（進行指示）であり、第２経路ＢＶ３Ｒが青信号である。他方、第２経路ＢＶ２Ｓは赤信号（停止指示）である。この場合、評価プロセッサ１１は、第１経路ＢＶ１Ｌの優先度は、第２経路ＢＶ２Ｓの優先度よりも高いと判断する。評価プロセッサ１１は、第１経路ＢＶ１Ｌの優先度が第２経路ＢＶ２Ｓの優先度よりも高いので、両者の交点ＱＶ１２を事象の候補から外してもよい。もちろん、事象として記憶しておき、後述する運転計画処理において進行と判断してもよい。評価プロセッサ１１は、いずれも青信号である第１経路ＢＶ１Ｌと第２経路ＢＶ３Ｒの優先度は判断しない。
【００６９】
評価プロセッサ１１は、各事象を自車両Ｖ１が遭遇する時系列に並べ替える。並べた事象の順序情報は、運転計画プロセッサ２１に送られる。また、出力装置３０を介して抽出された事象を時系列に並べてユーザに提示する。ユーザは、これから自車両Ｖ１がどのような事象に遭遇するのかを視覚的に確認できる。
【００７０】
図６は、事象を経時的に示す表示情報ＶＷの例である。図６に示す表示例では、自車両Ｖ１の第１経路の進行方向を太い矢印Ｔで表示する。矢印の方向が、自車両Ｖ１の時間軸である。その矢印Ｔ上に事象として抽出された、信号機手前に存在する停止線との交点ＱＶ１Ｓを信号機のアイコンで表示し、交点ＱＶ１２，ＱＶ１３を９０度に曲げた矢印を重畳して表示する。併せて、自車両Ｖ１が遭遇する事象（本例では対象物）として、信号機ＳＧ１又は停止線ＳＴ１、第２経路との交点ＱＶ１２，ＱＶ１３を表記してもよい。事象（遭遇位置・遭遇タイミング）を示す情報は、記号であってもよいし、抽象的なマークであってもよい。彩色、大きさ等は任意に決定できる。
【００７１】
次に、運転計画装置２０について説明する。運転計画装置２０は、運転計画プロセッサ２１を備える。運転計画プロセッサ２１は、経路を走行する自車両の運転行動を計画する。運転計画プロセッサ２１は、自車両が第１経路を走行する際に経時的に遭遇する複数の事象と自車両との関係についての評価結果を、評価プロセッサ１１から取得する。運転計画プロセッサ２１は、評価プロセッサ１１により評価された事象と自車両Ｖ１との関係（評価結果）を用いて、自車両Ｖ１が第１経路を走行する際の運転計画を立案する。運転計画プロセッサ２１は、運転計画を立案する際に、対象物検出装置２３０により検出された対象物の存在を考慮して運転計画を立案する。運転計画プロセッサ２１は、自車両Ｖ１の周囲に存在する対象物との接触を回避した運転計画を立案する。
運転計画プロセッサ２１は、自車両の走行／停止を含む運転行動を計画する処理を実行させるプログラムが格納されたＲＯＭ（Read Only Memory）と、このＲＯＭに格納されたプログラムを実行することで、運転計画装置２０として機能する動作回路としてのＣＰＵ（Central Processing Unit）と、アクセス可能な記憶装置として機能するＲＡＭ（Random Access Memory）と、を備えるコンピュータである。運転計画プロセッサ２１は、自車両の走行／停止を含む運転行動を計画する処理を実行させるプログラムが記憶された記憶媒体を備える。
【００７２】
本実施形態の運転計画プロセッサ２１は、評価プロセッサ１１により抽出された複数の事象に対してそれぞれ一つの行動を決定する。決定される行動は、運転に関する行動であって、進行行動と停止行動とを含む。運転計画プロセッサ２１は、各事象に対して、進行行動又は停止行動の何れか一方を決定する。運転計画プロセッサ２１は、これら複数の事象に対して決定された各行動の内容を総合的に考慮して、自車両Ｖ１が遭遇するシーンに対して一連の運転計画を立案する。これにより、一つのシーンの通過開始から通過終了までの間に、どこに停車すればよいのかが明確にされた運転計画を立案できる。このため、最終的な運転計画を立案するまでのプロセスを簡素化し、演算負荷の低減を図ることができる。
【００７３】
以下、図７Ａ、図７Ｂに基づいて、運転計画プロセッサ２１の運転行動の決定手法を説明する。ここでは、図２Ｇに示す二つの事象（交点ＱＶ１２）、事象（交点ＱＶ１３）における運転行動の決定手法を説明する。
【００７４】
図７Ａは、図２Ｇに示す事象（交点ＱＶ１２）における運転行動の決定処理の手法を説明するための図である。運転計画プロセッサ２１は、第１経路ＢＶ１Ｌと第２経路ＢＶ２Ｓが交差する地点を自車両Ｖ１が通過するという事象に対してとるべき運転行動を判断する。運転計画プロセッサ２１は、第２経路ＢＶ２Ｓに対応づけられた他車両Ｖ２と自車両との位置関係及び位置関係の変化（接近度合）を算出する。運転計画プロセッサ２１は、自車両Ｖ１と他車両Ｖ２が接するまでの時間に基づいて、自車両Ｖ１が第１経路と第２経路の交点である事象（交点ＱＶ１２）を他車両Ｖ２と接することなく通過できるか否かを判断する。
【００７５】
自車両Ｖ１が事象に遭遇する可能性の高い交点ＱＶ１２について検討する。
図７Ａに示すように、運転計画プロセッサ２１は、自車両Ｖ１と他車両Ｖ２が交点ＱＶ１２に到達するまでの予想時間を計算し、自車両Ｖ１が余裕をもってその事象（交点ＱＶ１２）を通過できるか否か判断する。例えば、自車両Ｖ１の速度をＶＶ１、自車両Ｖ１から交点ＱＶ１２までの距離をＬ１、他車両Ｖ２の速度をＶＶ２、他車両Ｖ２から交点ＱＶ１２までの距離をＬ２とする。
そして、下記式（１）を満たす場合には、交点ＱＶ１２にて自車両Ｖ１が他車両Ｖ２と接する可能性が高いと判断し、この交点ＱＶ１２で遭遇する事象における運転行動は「停止」と判断する。
|Ｌ２ /ＶＶ２ − Ｌ１ / ＶＶ１ | <  Ｔthreshold       （１）
他方、下記式（２）を満たす場合には、交点ＱＶ１２において、自車両Ｖ１が他車両Ｖ２と接するという事象に遭遇する可能性が低いと判断し、この事象における運転行動は「進行」と判断する。
|Ｌ２ / ＶＶ２ − Ｌ１ / ＶＶ１ | ≧  Ｔthreshold       （２）
なお、Ｔthreshold は車両の相互通過に関する安全を考慮した余裕時間である。
【００７６】
図７Ｂは、図２Ｇに示す事象（交点ＱＶ１３）における運転行動の決定処理の手法を説明するための図である。運転計画プロセッサ２１は、第１経路ＢＶ１Ｌと第２経路ＢＶ３Ｒが交差する地点を自車両Ｖ１が通過するという事象に対してとるべき運転行動を判断する。運転計画プロセッサ２１は、第２経路ＢＶ３Ｒに対応づけられた他車両Ｖ３と自車両との位置関係及び位置関係の変化（接近度合）を算出する。運転計画プロセッサ２１は、自車両Ｖ１と他車両Ｖ２が接するまでの時間に基づいて、自車両Ｖ１が第１経路と第２経路の交点ＱＶ１３で、他車両Ｖ２と接することなく通過できるか否かを判断する。言い換えると、運転計画プロセッサ２１は、他車両Ｖ２と接触するという事象に遭遇することなく交点ＱＶ１３を通過できるか否かを判断する。
【００７７】
図７Ｂに示すように、運転計画プロセッサ２１は、自車両Ｖ１と他車両Ｖ２が交点ＱＶ１３に到達するまでの予想時間を計算し、自車両Ｖ１が余裕をもってその交点ＱＶ１３を通過できるか否か判断する。言い換えると、運転計画プロセッサ２１は、自車両Ｖ１が、交点ＱＶ１３において他車両Ｖ２と接触するという事象に遭遇する可能性が低いか否かを判断する。例えば、自車両Ｖ１の速度をＶＶ１、自車両Ｖ１から交点までの距離をＬ１、他車両Ｖ３の速度をＶＶ３、他車両Ｖ３から交点ＱＶ１３までの距離をＬ３とする。Ｌ３は、道路情報２２３が記憶する曲率などを参考にして算出してもよいし、道路情報２２３が記憶するノード間の距離を参考に算出してもよい。
そして、下記式（３）を満たす場合には、交点ＱＶ１３にて、自車両Ｖ１が他車両Ｖ３と接するという事象に遭遇する可能性が高いと判断し、この事象における運転行動は「停止」と判断する。
|Ｌ３ /ＶＶ３ − Ｌ１ / ＶＶ１ | <  Ｔthreshold       （３）
他方、下記式（４）を満たす場合には、交点ＱＶ１３にて、自車両Ｖ１が他車両Ｖ３と接するという事象に遭遇する可能性が低いと判断し、この事象における運転行動は「進行」と判断する。
|Ｌ３ / ＶＶ３ − Ｌ１ / ＶＶ１ | ≧  Ｔthreshold       （４）
Ｔthreshold は車両の相互通過に関する安全を考慮した余裕時間である。
【００７８】
先述した、出力制御プロセッサ３１は、この事象ごとの運転行動の判断結果をディスプレイ２５１に表示してもよい。図８は、運転行動の判断結果の表示例である。図８に示すように、出力制御プロセッサ３１は、複数の事象を自車両Ｖ１が遭遇する順序に沿って並べるとともに、各事象における運転行動の判断をテキスト情報又は記号にて表示する。
【００７９】
本実施形態の運転計画プロセッサ２１は、評価された自車両Ｖ１と経時的に遭遇する複数の事象との関係を用いて、自車両が遭遇するシーンに対して一連の運転計画を立案する。  特に限定されないが、運転計画プロセッサ２１は、遭遇するシーンに対して自車両Ｖ１が執るべき運転操作について、ひとまとまりの運転計画を立案する。運転計画は、シーン（の領域Ｒ１）に進入してから、シーン（の領域Ｒ１）を退出するまでの間の第１経路において抽出された各事象について、停止と進行の指令が対応づけられた命令である。
【００８０】
本実施形態の運転計画プロセッサ２１は、評価プロセッサ１１によって抽出された事象の少なくとも一つ以上の事象に対して停止行動の決定又は判断不能の決定がされた場合には、自車両Ｖ１が遭遇するシーンにおいて、自車両を停止させる運転計画を立案する。
【００８１】
本実施形態の運転計画プロセッサ２１は、評価プロセッサ１１によって抽出された事象の少なくとも一つ以上の事象に対して停止行動の決定又は判断不能の決定がされた場合には、自車両Ｖ１の現在位置に最も近い事象において自車両Ｖ１を停止させる運転計画を立案する。シーンに対応する領域Ｒ１内に停止すべき地点が存在する場合には、直ちに、自車両Ｖ１を停止させるので、リスクを回避できる。
【００８２】
ちなみに、運転計画プロセッサ２１が判断不能の決定をする場合とは、カメラ２３１の画像に含まれる死角領域の割合が所定値以上である場合、対象物検出装置２３０による対象物の検出確度が所定値未満である場合、車線逸脱防止装置２４０による処理が中止された場合、又はドライバからの介入操作があった場合などである。判定不能である場合には、速やかに自車両を停止させることにより、不正確な情報に基づく運転計画の実行を抑制できる。
【００８３】
本実施形態の運転計画プロセッサ２１は、評価プロセッサ１１によって抽出された事象について、進行行動が決定された事象の次に遭遇する事象について停止行動又は判断不能の決定がされた場合には、進行行動が決定された事象との遭遇ポイントにおいて自車両Ｖ１を停止させる運転計画を立案する。いったん進行行動が決定された場合であっても、自車両Ｖ１が次に遭遇する事象が停止行動又は判断不能である場合には、進行行動が決定された位置に自車両Ｖ１を停止させることができる。進行行動が決定された場所は、自車両Ｖ１の存在が許可された場所であるので、安全に自車両Ｖ１を停止させることができる。
【００８４】
本実施形態の運転計画プロセッサ２１は、評価プロセッサ１１によって抽出された事象のうち、停止行動又は判断不能の決定がされた事象が第２経路内に属する場合には、その事象よりも上流側であって停止可能な位置にて自車両Ｖ１を停止させる。ある事象について停止行動又は判断不能の決定がされた場合であっても、その事象に応じた停止位置が第２経路に属するときには、第２経路を走行する他車両の走行を妨害する可能性があるので、停止位置として適切ではない。本実施形態によれば、第２経路内ではなく、上流側の停止可能な位置に停止位置を設定できる。
【００８５】
本実施形態の運転計画プロセッサ２１は、評価プロセッサ１１によって抽出された事象のうち、停止行動又は判断不能の決定がされた事象が、他の事象接近乃至重複し、両事象が所定距離以内となる場合には、その事象よりも上流側であって停止可能な位置にて自車両Ｖ１を停止させる。ある事象について停止行動又は判断不能の決定がされた場合であっても、その事象に応じた停止位置が他の事象に応じた停止位置と接近乃至重なる場合には、他の事象に関する判断との整合を考慮する必要があるので、停止位置として適切ではない。本実施形態によれば、第２経路内ではなく、上流側の停止可能な位置に停止位置を設定できる。これにより、判断不能とされるケースを低減できる。また、判断処理の負荷を低減させるとともに、ストップ アンド ゴーを繰り返すことなく、シーンの領域Ｒ１内をスムーズに走行できる。
【００８６】
本実施形態の運転計画プロセッサ２１は、評価プロセッサ１１によって抽出された事象のうち、一の事象について進行行動が決定され、その事象の次に遭遇する他の事象について停止行動又は判断不能が決定された場合において、一の事象と他の事象との離隔度合が所定値以上である場合には、一の事象について自車両Ｖ１を進行させる運転計画を立案する。ある一の事象について進行が許可されたが、その後に遭遇する他の事象において停止行動又は判断不能の決定がされた場合において、上流側の一の事象にて自車両Ｖ１を停車させると、再度他の事象の進行可否を判断しなければならず、また、他の第２経路上の他車両の交通の流れの妨げになる可能性もある。このように、離隔した事象において上流側では「進行」下流側では「停止」という異なる判断が示された場合には、上流側の事象では自車両Ｖ１を進行させることにより、複雑な処理にならないようにすることができる。
【００８７】
本実施形態の運転計画プロセッサ２１は、自車両Ｖ１の停止位置は、シーンに対応する境界Ｒ１内であって、自車両Ｖ１の現在位置に最も近い事象の位置であってもよい。自車両Ｖ１の停止位置は、シーンに対応する境界Ｒ１の手前側に設定してもよい。自車両Ｖ１の停止位置は、シーンに対応する境界Ｒ１内の事象のうち、自車両Ｖの接近方向に沿って最も上流側の事象の位置であってもよい。
上記の停止地点の設定処理は、交差点の交通量、道路種別、道路幅に応じて選択できる。
【００８８】
本実施形態の運転計画プロセッサ２１は、速度についての制御を行なう。
本実施形態の運転計画プロセッサ２１は、評価プロセッサ１１によって抽出された事象のうち、一の事象について進行行動が決定され、その事象の次に遭遇する他の事象について停止行動又は判断不能が決定された場合において、一の事象における進行行動の速度を低下させる運転計画を立案する。
【００８９】
ここで、具体的なシーンを例にして、シーンの評価処理と運転計画の立案処理を通して説明する。本例の場面を図９Ａに示す。図９Ａに示すように、第１経路ＢＶ１を走行する自車両Ｖ１は信号機ＳＧ１が設けられ、かつ横断歩道ＣＲ１が設けられた交差点を左折通過する。評価プロセッサ１１は、第１経路ＢＶ１Ｌと交点を有する経路を抽出する。ここで横断歩道は、歩行者が通行する経路の一つである。
【００９０】
本例では、図９Ｂに示すように、第２経路として、横断歩道ＣＲ１、第２経路ＢＶ２Ｓ、第２経路ＢＶ３Ｒ、及び横断歩道ＣＲ４が抽出される。評価プロセッサ１１は、位置情報に対応づけられた交通規則情報２２４を参照し、第１経路ＢＶ１Ｌ上に定義された交通規則を参照する。評価プロセッサ１１は、第１経路ＢＶ１Ｌ上であって、横断歩道ＣＲ１の上流側に停止線ＳＴ１を抽出する。停止線ＳＴ１の位置を第１経路ＢＶ１Ｌに対応づけて記憶する。評価プロセッサ１１は、第２経路ＢＶ２Ｓ及び第２経路ＢＶ３Ｒについても同様に、交通規則情報２２４を参照し、他車両の運転に関係する交通規則を抽出し、各第２経路に対応づけて記憶する。評価プロセッサ１１は、交通規則情報２２４に記憶されている交通規則が適用される位置（停止線の位置）に応じて、自車両Ｖ１の事象の位置を決定する。
【００９１】
本例において、評価プロセッサ１１は、交通規則情報２２４に記憶されている停止線ＳＴ１と第１経路ＢＶ１Ｌとの交点ＱＶＣ１の位置を、事象の位置として決定する。各事象の位置に応じた停止位置を経路ごとに記憶する。本例では、事象である交点ＱＶ１Ｓを停止位置として横断歩道ＣＲ１に対応づける。事象である交点ＱＶ１２を停止位置として第２経路ＢＶ２Ｓに対応づける。事象である交点ＱＶ１３を停止位置として第２経路ＢＶ３Ｒに対応づける。事象である交点ＱＶＣ４を停止位置として横断歩道ＣＲ４に対応づける。
【００９２】
評価プロセッサ１１は、第１経路と第２経路の優先度を検討する。図９Ｂに示す例では、第１経路ＢＶ１Ｌが青信号（進行指示）であり、第２経路ＢＶ３Ｒが青信号である。他方、第２経路ＢＶ２Ｓは赤信号（停止指示）である。この場合、評価プロセッサ１１は、第１経路ＢＶ１Ｌの優先度は、第２経路ＢＶ２Ｓの優先度よりも高いと判断する。評価プロセッサ１１は、第１経路ＢＶ１Ｌの優先度が第２経路ＢＶ２Ｓの優先度よりも高いので、両者の交点ＱＶ１２を事象の候補から外してもよい。もちろん、事象として記憶しておき、後述する運転計画処理において進行と判断してもよい。評価プロセッサ１１は、いずれも青信号である第１経路ＢＶ１Ｌと第２経路ＢＶ３Ｒの優先度は判断しない。
【００９３】
また、評価プロセッサ１１は、第２経路としての横断歩道と第１経路の優先度を検討する。
図９Ｂに示す例では、横断歩道ＣＲ１の信号が赤（横断禁止指示）であり、第１経路ＢＶ１Ｌが青信号（進行指示）であるので、第１経路ＢＶ１Ｌの優先度は、横断歩道ＣＲ１の優先度よりも高いと判断する。評価プロセッサ１１は、第１経路ＢＶ１Ｌの優先度が横断歩道ＣＲ１の優先度よりも高いので、両者の交点ＱＶＣ１を事象の候補から外してもよい。もちろん、事象として記憶しておき、後述する運転計画処理において進行と判断してもよい。
図９Ｂに示す例では、第１経路ＢＶ１Ｌが交差する横断歩道ＣＲ４の信号が青（横断指示）である。第１経路ＢＶ１Ｌも青信号（進行指示）であるが、横断歩道の歩行者を優先する旨の交通規則に従い、第１経路ＢＶ１Ｌの優先度は、横断歩道ＣＲ４の優先度よりも低いと判断する。評価プロセッサ１１は、第１経路ＢＶ１Ｌの優先度が横断歩道ＣＲ１の優先度よりも低いので、両者の交点ＱＶＣ４を事象として記憶する。
【００９４】
評価プロセッサ１１は、第１経路ＢＶ１Ｌと停止線ＳＴ１との交点ＱＶ１Ｓ、第１経路ＢＶ１Ｌと第２経路ＢＶ２Ｓとの交点ＱＶ１２、第１経路ＢＶ１Ｌと第２経路ＢＶ３ＲＳとの交点ＱＶ１３、第１経路ＢＶ１Ｌと横断歩道ＣＲ４との交点ＱＶＣ４を事象として判断する。
【００９５】
評価プロセッサ１１は、第１経路ＢＶ１Ｌ、第２経路ＢＶ２Ｓ、第２経路ＢＶ３Ｒ、第２経路としての横断歩道ＣＲ１、横断歩道ＣＲ４に存在する歩行者、二輪車などの対象物を事象として抽出する。図９Ｂに示す例では、評価プロセッサ１１は、第２経路ＢＶ２Ｓを走行する他車両Ｖ２、第２経路ＢＶ３Ｒを走行する他車両Ｖ３、横断歩道ＣＲ１を横断する歩行者Ｈ１、横断歩道ＣＲ４を横断する歩行者Ｈ４を事象として抽出する。各対象物は、各経路・位置に対応づけて記憶される。
【００９６】
評価プロセッサ１１は、各事象を自車両Ｖ１が遭遇する時系列に並べ替える。並べた事象の順序情報は、運転計画プロセッサ２１に送られる。また、出力装置３０を介して抽出された事象を時系列に並べてユーザに提示する。ユーザは、これから自車両Ｖ１がどのような事象に遭遇するのかを視覚的に確認できる。
【００９７】
図１０は、事象を経時的に示す表示情報ＶＷの例である。図１０に示す表示例では、自車両Ｖ１の第１経路の進行方向を太い矢印Ｔで表示する。矢印の方向が、自車両Ｖ１の時間軸である。その矢印Ｔ上に事象として抽出された、信号機手前に存在する停止線との交点ＱＶ１Ｓを横断歩道のアイコンで表示し、交点ＱＶ１２、ＱＶ１３を９０度に曲げた矢印、横断歩道ＣＲ４との交点ＱＶＣ４を横断歩道のアイコンを重畳して表示する。併せて、自車両Ｖ１が遭遇する対象物として、横断歩道ＣＲ１、第２経路との交点ＱＶ１２、ＱＶ１３、横断歩道ＣＲ４を表記してもよい。さらに、各第２経路上に存在する対象物を表記してもよい。本表示例では、横断歩道ＣＲ１上に存在する歩行者Ｈ１と横断歩道ＣＲ４上に存在する歩行者Ｈ４を表示する。事象（遭遇位置・遭遇タイミング・遭遇物）を示す地点や対象物を示す情報は、記号であってもよいし、抽象的なマークであってもよい。彩色、大きさ等は任意に決定できる。
【００９８】
本実施形態の運転計画プロセッサ２１は、各事象又は各事象と対応づけられた第２経路について、以下のように運転行動をそれぞれ決定する。
（１）第１経路ＢＶ１Ｌ上の信号機ＳＧ１は青信号（進行）を示し、横断歩道ＣＲ１の歩行者用信号機ＳＧＨ１は赤信号（停止）を示す。運転計画プロセッサ２１は、第１経路ＢＶ１Ｌの優先度は、横断歩道ＣＲ１の優先度よりも高いため、交点ＱＶ１Ｓにおける事象についての運転行動は「進行」であると判断する。
（２）第２経路ＢＶ２Ｓ上の信号機ＳＧ２は赤信号（停止）を示す。運転計画プロセッサ２１は、第１経路ＢＶ１Ｌの優先度は、第２経路ＢＶ２Ｓの優先度よりも高いため、交点ＱＶ１２における事象についての運転行動は「進行」であると判断する。
（３）第１経路ＢＶ１Ｌ上の信号機ＳＧ１は青信号（進行）を示し、第２経路ＢＶ３Ｒの信号機ＳＧ３は青信号（進行）を示す。運転計画プロセッサ２１は、第２経路ＢＶ３Ｒに対する第１経路ＢＶ１Ｌの優先度を判断しない。運転計画プロセッサ２１は、自車両Ｖ１と第２経路ＢＶ３Ｒを走行する他車両Ｖ３とが接触するまでの時間に基づいて、交点ＱＶ１３における運転行動を判断する。は「進行」であると判断する。
（４）横断歩道ＣＲ４の歩行者用信号機ＳＧ４は青信号（横断可）を示し、横断歩道ＣＲ４の歩行者用信号機ＳＧＨ４も青信号（横断可）を示す。交通規則情報２２４において横断歩道の優先度は、車両用道路に比べて高いと定義されている。運転計画プロセッサ２１は、同じ青信号であるが、交通規則情報２２４に従い、交点ＱＶＣ４（図９Ｂ参照）における事象についての運転行動は「停止」であると判断する。
【００９９】
本実施形態の運転計画プロセッサ２１は、続いて、シーンごとの運転計画を立案する。運転計画プロセッサ２１は、シーンが設定された領域Ｒ１内において抽出された複数の事象のうち「停止」と判断された事象が有るか否かを判断する。運転計画プロセッサ２１は、
抽出された事象に「停止」と判断された事象が一つ以上含まれている場合には、シーン全体の運転行動を「停止」と判断する。さらに、運転計画プロセッサ２１は、具体的な停止位置を決定する。
【０１００】
本例において、例えば、第２経路ＢＶ３Ｒ上の交点ＱＶ１３の事象について「停止」が決定された場合には、「停止」の判断がされた経路が、第２経路ＢＶ３Ｒと、横断歩道である第２経路ＣＲ４との複数存在することになる。
【０１０１】
このような場合には、第１経路を走行する自車両Ｖ１から最も近い事象について「停止」を決定する。運転計画プロセッサ２１は、この事象の位置に基づいて停止位置を設定する。停止位置は、第１経路における自車両Ｖ１の走行方向を基準に事象よりも上流側であって、事象と所定距離以内とする。本例においては、横断歩道ＣＲ４との交点ＱＶＣ４ではなく、第２経路ＢＶ３Ｒ上の交点ＱＶ１３に係る事象について「停止」が決定される。
【０１０２】
上記の場合において、第２経路ＢＶ３Ｒには交点ＱＶ１３（事象）に係る停止位置が対応づけられているが、交点ＱＶ１３は第２経路ＢＶ２Ｓ上に存在する。このため、運転計画プロセッサ２１は、交点ＱＶ１３及びその近傍を停止位置とせずに、代わりに第２経路ＢＶ２Ｓに対応づけられた交点ＱＶ１２及びその近傍に停止位置を設定する。
【０１０３】
第２経路ＢＶ３Ｒ上の交点ＱＶ１３に係る事象について「進行」が決定された場合には、横断歩道ＣＲ４との交点ＱＶＣ４を停止位置とする。交点ＱＶＣ４は、横断歩道ＣＲ上に位置するとともに、第２経路ＢＶ３Ｒ上に位置する。このため、自車両Ｖ１の進行方向の上流側の第２経路ＢＶ３Ｒ上の交点ＱＶ１３を停止位置とする。さらに、交点ＱＶ１３は、第２経路ＢＶ３Ｒ上に位置するとともに、第２経路ＢＶ２Ｓ上に位置する。このため、自車両Ｖ１の進行方向の上流側の第２経路ＢＶ２Ｓ上の交点ＱＶ１２を停止位置とする。
第１経路に沿って目的地までの全ての事象について処理を行ったと判定されるまで、上記処理を繰り返す。
【０１０４】
以下に、上記処理の変更例を説明する。本例の場面を図１１Ａに示す。
本例は、第１経路ＢＶ１が片側一車線の道路を走行する場面についての例である。
評価プロセッサ１１は、第１経路ＢＶ１と交点を有する第２経路としての横断歩道ＣＲを抽出する。さらに、評価プロセッサ１１は、他車両Ｖ５を事象として検出し、第１経路ＢＶ１と対応づけて記憶する。先述した例では第１経路と第２経路とが角度を持って交わっていたが、本例では、第１経路と第２経路とが共通の経路となる。
【０１０５】
抽出した事象を遭遇する順序に沿って並べる。自車両Ｖ１の第１経路ＢＶ１を基準に、自車両Ｖ１から他車両Ｖ５までの相対距離と、自車両Ｖ１から横断歩道ＣＲまでの相対距離を考える。出力制御プロセッサ３１は、求めた相対距離に基づいて、ディスプレイ２５１に並べた事象を表示する。表示例を図１２に示す。図１２に示すように、自車両Ｖ１、他車両Ｖ５、横断歩道ＣＲの順番で表現される。
【０１０６】
図１１Ａの状態のまま自車両Ｖ１が直進すると、他車両Ｖ５と接触してしまうため自車両Ｖ１は他車両Ｖ５に係る事象を通過することはできない。なお、運転計画プロセッサ２１は、横断歩道ＣＲ上に歩行者が存在する場合には「停止」と判断する。本例のように、横断歩道ＣＲ上の歩行者が他車両Ｖ５に隠れてしまう場合には、死角の発生を理由に判断不能を決定する。
【０１０７】
運転計画プロセッサ２１は、自車両Ｖ１と他車両Ｖ５とが接触する可能性を判断する。評価プロセッサ１１は、他車両Ｖ５を回避する経路を探索し、回避経路が求められた場合には、他車両Ｖ５に係る事象は「進行」と判断できる。回避経路は、対向車線を走行する他車両が存在しないこと、自車両Ｖ１の車幅を超える他車両Ｖ５を回避する経路が求められたことを条件とすることができる。
【０１０８】
運転計画プロセッサ２１は、シーン全体を通した行動を決定する。本例において、他車両Ｖ５を回避できるので、この事象については「進行」と判断する。横断歩道ＣＲ上の歩行者の存在が確認できなかった（判断不能）。このため、その手前で一時停止の必要があるので「停止」を判断する。「停止」の事象の前に「進行」の事象が存在する。この場合に、運転計画プロセッサ２１は、「進行」と判断された他車両Ｖ５を回避する経路を走行する際の速度をその前の設定速度よりも低く設定する。つまり、減速させる。自車両Ｖ１は、減速して、回避可能な他車両Ｖ５を回避し、駐車中の他車両Ｖ５による死角のために判断不能となっている横断歩道ＣＲ（事象）に対して、停止可能な速度で接近し、通過する。
【０１０９】
また、横断歩道ＣＲ上に歩行者が存在することが確認でき、かつ、横断歩道ＣＲに関して「停止」と判断された場合には、横断歩道ＣＲの手前で停止する。さらに、片側２車線の場合は、隣接する車線を走行する他車両との衝突可能性を考慮しつつ、車線変更の可否判断を併せて行ってもよい。死角の発生などの事前に判断が難しい事象に対しても対応できる。
【０１１０】
以下、運転計画における停止位置を決めるにあたり、停止位置候補を設定する手法を説明する。
【０１１１】
本実施形態の運転計画プロセッサ２１は、自車両Ｖ１が第１経路を走行する際に経時的に遭遇する複数の事象と自車両Ｖ１との関係についての評価結果を用いて、自車両Ｖ１を停止させる一又は複数の停止位置候補を事象ごとに設定する。運転計画プロセッサ２１は、設定した停止位置候補において遭遇する複数の事象と自車両Ｖ１との関係についての評価結果を用いて、自車両Ｖ１が遭遇するシーンについて運転計画を立案する。
このように、第１経路と第２経路とが交点を有する交通において、停止位置候補において遭遇する複数の事象と自車両Ｖ１との関係を考慮して運転計画を立案するので、他車両や歩行者などに影響を及ぼさない運転を実現できる。
【０１１２】
本実施形態の運転計画プロセッサ２１は、自車両Ｖ１が遭遇するシーンにおいて、複数の停止位置候補のうち最も自車両Ｖ１に近い停止位置候補を、自車両Ｖ１を停止させる停止位置として決定する。このように、停止位置候補のうち、自車両Ｖ１の現在位置に最も近い位置で自車両Ｖ１を停止させるので、交通流に対して与える影響を抑制できる。
【０１１３】
本実施形態の運転計画プロセッサ２１は、自車両Ｖ１の停止が要求される停止位置よりも所定距離だけ上流側の位置に、停止位置候補を設定する。実際の交通規則情報２２４において定義された停止位置よりも自車両の現在位置に近い位置で自車両Ｖ１を停止させるので、交通流に対して与える影響を抑制できる。
【０１１４】
本実施形態の運転計画プロセッサ２１は、自車両Ｖ１の駐停車が禁止された領域の外延よりも所定距離だけ上流側の位置、駐停車禁止領域の外側に、停止位置候補を設定する。実際の交通規則情報２２４において定義された停止位置よりも自車両の現在位置に近い位置で自車両Ｖ１を停止させるので、交通流に対して与える影響を抑制できる。
【０１１５】
本実施形態の運転計画プロセッサ２１は、第１経路と交差する他の第２経路の走行可能領域の外側に停止位置候補を設定する。第２経路の車線内又はその走行可能領域の外延よりも自車両Ｖ１の現在位置に近い位置で自車両Ｖ１を停止させるので、交通流に対して与える影響を抑制できる。
【０１１６】
本実施形態の運転計画プロセッサ２１は、自車両Ｖ１が一の事象を通過するときに自車両Ｖ１の車体が、第１経路をはみだす場合には、一の事象の一つ上流側の停止位置候補に自車両Ｖ１を停止させる運転計画を立案する。自車両Ｖ１が第１経路以外にはみ出す場合、つまり、自車両Ｖ１の車体が他の経路の車線内又はその走行可能領域内に進入する可能性がある場合には、自車両Ｖ１の現在位置により近い事象の位置で自車両Ｖ１を停止させるので、交通流に対して与える影響を抑制できる。特に限定されないが、自車両Ｖ１が一の事象を通過するときに自車両Ｖ１の車体の少なくとも一部が、第２経路内に進入する場合に、一の事象の一つ上流側の停止位置候補に自車両Ｖ１を停止させてもよい。同様に、交通流に対して与える影響を抑制できる。
【０１１７】
本実施形態の運転計画プロセッサ２１は、第１経路の交通信号又は第１経路の交通規則に応じて、自車両Ｖ１が遭遇する事象が生じない領域に停止位置候補を設定しないようにできる。青信号により第１経路における自車両Ｖ１の通行が確保されている場合や、交通規則により第１経路が優先経路として定義され、自車両Ｖ１の優先的な通行が確保されている場合には、停止位置候補を設定しないようにできる。停止が必要とされない場面で停止することを避けて、スムーズな走行を実行できる。
【０１１８】
本実施形態の運転計画プロセッサ２１は、第１経路と交点を有する第２経路から、第１経路の停止位置候補の位置に流入する他車両の速度が規定の速度以下である場合には、停止位置候補の一つ上流側の他の停止位置候補について停止を決定する。第１経路の停止位置候補の位置に流入する他車両の速度が規定の速度以下である場合には、渋滞などの交通状況が発生している可能性がある。このような場合には、適切な位置に停車できずに、他車両や歩行者に影響を与えることが起こり得る。このため、第１経路の停止位置候補の位置に流入する他車両の速度が規定の速度以下である場合には、自車両の現在位置に近い停止位置候補で停車することにより、他車両や歩行者の流れに影響を与えない運転行動をとることができる。
【０１１９】
以下、運転計画における停止位置の第１の設定手法について説明する。
図１３Ａに示す場面を例に説明する。図１３Ａに示す場面は、自車両Ｖ１が交差点を右折する場面である。評価プロセッサ１１は、第１経路ＢＶ１、横断歩道ＣＲ１、及び横断歩道ＣＲ２が抽出される。
【０１２０】
ここで、第１経路と交点を有する第２経路を抽出する。第２経路の抽出には地図情報２２２に含まれるリンク情報、ノード情報を用いることにより、効率的に処理できる。
図１３Ｂに示すように、交差点を表現する地図データベースには、ノードＮＤやリンクＬＫが複数存在する。ノードＮＤは丸印で示し、リンクＬＫは経路上に矢印で示す。リンクＬＫはその始点／終点となるノードＮＤにおいて全ての行先（連続先）を表現する。ノードは、１つのノードから複数のノードにリンクが分岐されているもの、複数のノードから１つのノードにリンク集約されているものを含む。ここでは、複数のノードから１つのノードにリンクが集約されたノードに着目することで、自車両の第１経路に流入、交錯する可能性のあるリンクを抽出できる。この結果として、自車両の第１経路に流入、交錯する可能性のある車線を抽出できる。
【０１２１】
運転計画プロセッサ２１は、停止位置候補を設定する。停止位置候補は、評価ユニット１１により抽出された事象の中から選択された事象について設定される。運転計画プロセッサ２１は、評価プロセッサ１１により抽出された事象について、停止位置候補であるか否かを判断する。
【０１２２】
自車両Ｖ１の第１経路の信号機の状態によっては、自車両Ｖ１の第１経路に対して流入、交錯する第２経路を考慮しなくてもよい場合がある。図１３Ｃに示す例では、交差点の信号機ＳＧ１が青信号を示す。この場合には、自車両Ｖ１の第１経路ＢＶ１Ｒに直交する第２経路ＢＶ２Ｓの信号機ＳＧ２は赤信号（停止）を示す。このため、第２経路の他車両Ｖ２は、自車両Ｖ１に対して影響を及ぼすことがない。評価プロセッサ１１は、第１経路ＢＶ１Ｒが第２経路ＢＶ２Ｓよりも優先度が高いと判断する。そして、評価プロセッサ１１は、第２経路ＢＶ２Ｓの信号機ＳＧ２が赤信号を示していることを考慮して、この第２経路ＢＶ２Ｓとの交点を事象ではないものとする。
【０１２３】
自車両Ｖ１と横断歩道ＣＲ１との関係について検討する。横断歩道ＣＲ１の歩行者用の信号機ＳＧＨ１が赤信号であれば、横断歩道ＣＲ１の歩行者は自車両Ｖ１に対して影響を及ぼすことがない。このため、評価プロセッサ１１は、横断歩道ＣＲ１を自車両Ｖ１が遭遇する事象ではないと判断する。横断歩道ＣＲ１の歩行者用の信号機ＳＧＨ１が青信号であれば、横断歩道ＣＲ１の歩行者が自車両Ｖ１に対して影響を及ぼす可能性がある。このため、評価プロセッサ１１は、横断歩道ＣＲ１を自車両Ｖ１が遭遇する事象と判断する。横断歩道ＣＲ１に信号機が存在しない、又は信号の内容が検出できない場合もある。そのような場合には、車両用の信号機ＳＧ１からこれと交差する歩行者用の信号機ＳＧＨ１の信号を推測し、上記手法を用いて事象であるか否かを判断できる。
【０１２４】
次に、自車両Ｖ１と第２経路ＢＶ３Ｓとの関係を検討する。他車両Ｖ３は第２経路ＢＶ３Ｓを直進する。他車両Ｖ３の走行を制御する、第２経路ＢＶ３Ｓの信号機ＳＧ３が青信号であるケースで検討する。交通規則において、第２経路ＢＶ３Ｓは、自車両Ｖ１が右折する第１経路ＢＶ１Ｒよりも走行が優先される車線である。このため、評価プロセッサ１１は、第２経路ＢＶ３Ｓと第１経路ＢＶ１Ｒとの交点ＱＶ１３が事象であると判断する。
本例において、評価プロセッサ１１は、第１経路ＢＶ１Ｒ上の停止線ＳＴ１と、第２経路ＢＶ３Ｓとの交点ＱＶ１３と、横断歩道ＣＲ２の手前の停止位置ＱＶＪＣの３ヵ所を事象とする。
【０１２５】
評価プロセッサ１１は、図１３Ｄに示すように、第１経路ＢＶ１Ｒ上において、自車両Ｖ１から各遭遇事象までの相対距離に基づいて、自車両Ｖ１が遭遇する順序に従って、その順序で各事象（停止線ＳＴ１、第２経路ＢＶ３Ｓとの交点ＱＶ１３、横断歩道ＣＲ２の手前の停止位置ＱＣＪＣ、横断歩道ＣＲ２）を並べる。
【０１２６】
運転計画プロセッサ２１は、各事象に対して、「進行（Go）」、「停止（Stop）」の判断を行う。例えば、停止線ＳＴ１については信号機ＳＧ１の状態、横断歩道ＣＲ２については横断中の歩行者の有無に基づき、進行／停止の判断を行う。つまり、停止線ＳＴ１については、信号機ＳＧ１が青信号であれば進行判断を行い、信号機ＳＧ１が赤信号であれば停止判断を行う。横断歩道ＣＲ１については、横断中もしくは横断を開始しようとしている歩行者がいれば停止判断を行い、横断中もしくは横断を開始しようとしている歩行者がいなければ通過判断を行う。また、自車両Ｖ１の第１経路に流入、交錯する第２経路については、その第２経路を走行している他車両の有無と、自車両の第１経路との交点において流入、交錯する他車両との接近度合から、進行／停止の判断を行う。接近度合の判断手法は先述のとおりである。
【０１２７】
運転計画プロセッサ２１は、各遭遇事象の位置に応じて停止位置候補を設定する。運転計画プロセッサ２１は、図１３Ｄに示す例では、停止線ＳＴ１の近傍に停止位置候補ＳＰ１を設定し、交差点の中央Ｒ０の近傍に停止位置候補ＳＰ２を設定し、横断歩道ＣＲ２の手前に停止位置候補ＳＰ３を設定する。停止位置候補ＳＰ１停止線ＳＴ１から所定距離だけ上流側（自車両Ｖ１側）の位置に設定する。停止位置候補ＳＰ２は、第２経路ＢＶ３Ｓと第１経路ＢＶ１Ｒとの交点ＱＶ１３から所定距離だけ上流側の位置に設定する。停止位置候補ＳＰ３は、横断歩道の規定距離手前の位置に設定する。これら３つの停止位置候補は、第１経路ＢＶ１Ｒの信号機ＳＧ１が青信号を示していれば、他の経路の交通流を妨げるものではないため、どの停止位置候補でも停止が可能である。
【０１２８】
運転計画プロセッサ２１は、複数の停止位置候補の中から最適な停止位置候補を決定する。特に限定されないが、自車両Ｖ１から最も近い「停止」と判断された停止位置候補である交差点中心を停止位置として決定する。このように、複数の停止位置候補から適当な事象を選択して自車両Ｖ１を停止させるので、遭遇するシーンにふさわしい停止位置を決定できる。
【０１２９】
続いて、運転計画における停止位置の第２の設定手法について説明する。
図１４Ａに示す場面を例に説明する。図１４Ａに示す場面は、Ｔ字路において、自車両Ｖ１が交差点を右折する場面である。評価プロセッサ１１は、第１経路ＢＶ１、横断歩道ＣＲ１、及び横断歩道ＣＲ２が抽出される。第１経路ＢＶ１は、第２経路ＢＶ２Ｓと交点を有する。第２経路ＢＶ２Ｓは、Ｔ字路において、第１経路ＢＶ１よりも優先して走行が認められている。
【０１３０】
評価プロセッサ１１は、交通規則情報２２４を参照し、自車両Ｖ１が走行する第１経路ＢＶ１Ｒ上において、停止地点を抽出する。交通規則における停止地点は、停止が強制される状況に自車両Ｖ１が遭遇する地点である。さらに、評価プロセッサ１１は、自車両Ｖ１が事象と遭遇する可能性の高い地点を抽出する。具体的に、評価プロセッサ１１は、第１経路ＢＶ１Ｒと交点を有する第２経路ＣＲ１（横断歩道）、第２経路ＢＶ２Ｓ、第２経路ＢＶ４Ｓ、及び第２経路ＣＲ２（横断歩道）を抽出する。次に、評価プロセッサ１１は、第１経路ＢＶ１Ｒと、第２経路ＢＶ４Ｓとの交点を抽出する。本例において抽出された交点は、図１４Ａに示すように「停止線ＳＴ１手前の地点Ｑ１」、「横断歩道ＣＲ１手前の地点Ｑ２」、「第２経路ＢＶ２Ｓ手前の地点Ｑ３」、「第２経路ＢＶ４Ｓ手前の地点Ｑ４」、「横断歩道ＣＲ２手前の地点Ｑ５」の５つである。
【０１３１】
運転計画プロセッサ２１は、自車両Ｖ１の第１経路において、自車両Ｖ１から各事象までの相対距離に基づいて、自車両Ｖ１が遭遇する順序に従って、Ｑ１→Ｑ２→Ｑ３→Ｑ４→Ｑ５の順に事象を並べる。必要に応じてディスプレイ２２５１に提示する。
【０１３２】
評価プロセッサ１１は、地図情報２２２、道路情報２２３、交通規則情報２２４を参照して、停止位置候補の対象となる事象であるか否かを判断する。評価プロセッサ１１は、自車両Ｖ１に影響を及ぼす可能性がある事柄を遭遇事象として設定し、自車両Ｖ１に影響を及ぼさない事柄を遭遇事象としては設定しない。本例のシーンは、信号機が存在しないＴ字路であり、自車両Ｖ１は非優先車線を走行している。このため、抽出された５つの事象の全ては、自車両が遭遇する事象として抽出する。
【０１３３】
運転計画プロセッサ２１は、図１４Ｂに示すように、各事象の位置に応じて停止位置候補を設定する。運転計画プロセッサ２１は、交点Ｑ１〜Ｑ５から所定距離だけの上流側にシフトさせた位置に、各停止位置候補を設定する。本例において、運転計画プロセッサ２１は、「停止線ＳＴ１に対応する停止位置候補ＳＰ１」、「横断歩道ＣＲ１に対応する停止位置候補ＳＰ２」、「第２経路ＢＶ２Ｓとの交点に対応する停止位置候補ＳＰ３」、「第２経路ＢＶ４Ｓとの交点に対応する停止位置候補ＳＰ４」、及び「横断歩道ＣＲ２に対応する停止位置候補ＳＰ５」を、停止位置候補として設定する。
【０１３４】
運転計画プロセッサ２１は、一のシーンに含まれる複数の停止位置候補ＳＰ１〜ＳＰ５から適切な停止位置を決定する。特に限定されないが、運転計画プロセッサ２１は、自車両Ｖ１から最も近い停止位置候補である停止位置候補ＳＰ１を停止位置として決定する。
【０１３５】
運転計画プロセッサ２１は、停止位置候補ＳＰにおいて自車両Ｖ１を一旦停止させた後、横断歩道ＣＲ１に歩行者を見つけた場合には、次に、横断歩道ＣＲ１に対応する停止位置候補ＳＰ２で自車両Ｖ１を停止させる。
【０１３６】
運転計画プロセッサ２１は、複数の停止位置候補が接近している場合（所定距離以内である場合）には、これらを統合する。これにより、処理負荷を軽減できる。
【０１３７】
運転計画プロセッサ２１は、横断歩道ＣＲ１に歩行者が存在しない場合には、自車Ｖ１を停止位置候補ＳＰ３まで進ませ、ここで停止させる。また、横断歩道ＣＲ２にのみ、歩行者を見つけた場合には、横断歩道ＣＲ２に対応する停止位置候補ＳＰ５を停止位置として決定する。
【０１３８】
第２経路ＢＶ４Ｓ上を他車両Ｖ４が走行しており、自車両Ｖ１の走行に影響を与える可能性が有る場合には、運転計画プロセッサ２１は、以下の処理を行う。運転計画プロセッサ２１は、設定した複数の停止位置候補に、自車両Ｖ１の進行方向とは異なる方向の経路内に停止位置候補が存在するか否かを判断する。図１４Ｂに示す例では、第１経路ＢＶＲ１とは異なる方向の第２経路ＢＶ２Ｓの車線領域内に停止位置候補ＳＰ４が存在する。このため、運転計画プロセッサ２１は、自車両Ｖ１の停止位置が他車両Ｖ２に影響を及ぼすと予測する。運転計画プロセッサ２１は、停止位置候補ＳＰ４の一つ手前の（上流側の）停止位置候補ＳＰ３を停止位置として決定する。この停止位置候補ＳＰ３が、第２経路の走行可能領域内でなければ、停止位置として決定される。本例によれば、自車両Ｖ１がＴ字路の非優先側の道路から優先側の道路に右折して進入する際に、Ｔ字路の優先側の第２経路ＢＶ２Ｓを右から左に走行する他車両Ｖ２と、第２経路ＢＶ４Ｓを左から右に走行する他車両４を想定した停止位置を決定できる。これら他車両Ｖ２Ｖ４に影響を与えない自然な停止位置で停止を行うことができる。
【０１３９】
以下、運転計画における停止位置の第３の設定手法について説明する。
図１５に示す場面を例に説明する。図１５に示す場面は、自車両Ｖ１が交差点を右折する際に、右折後の道路が渋滞している場面である。運転計画プロセッサ２１は、第１経路のいずれかの停止位置候補の位置に流入する他車両の速度が規定の速度以下である場合には、自車両Ｖ１の第１経路が渋滞していると判断する。本例では、このような渋滞の場面においても、他車両の停車位置を考慮した適切な停止位置を決定する。評価プロセッサ１１は、第１経路ＢＶ１、横断歩道ＣＲ１、及び横断歩道ＣＲ２が抽出される。
【０１４０】
本例では、信号機が青信号であることから、停止線ＳＴ１については通過と判断される。また、対向直進する他車両Ｖ３との交点は、本実施例においては、自車両Ｖ１との接近可能性が低いとして「進行」の判断が行われるものとする。しかしながら、横断歩道ＣＲ２の手前に他車両Ｖ４３が存在するため、自車両Ｖ１が横断歩道ＣＲ２の手前で自車両Ｖ１を停止するための領域がない。
【０１４１】
運転計画プロセッサ２１は、事象と遭遇する交点Ｑ５の１つ手前の事象である「第２経路ＢＶ３Ｓとの交点Ｑ４」に対して、停止の可否判断を行う。なお、本例では、横断歩道ＣＲ１は赤信号であり、横断歩道ＣＲ１，ＣＲ２には歩行者がいないと仮定し、横断歩道ＣＲ１，ＣＲ２については進行の判断を行う。
【０１４２】
運転計画プロセッサ２１は、交点Ｑ１〜Ｑ５の位置に基づいて、停止位置候補ＳＰ１〜ＳＰ５を設定する。運転計画プロセッサ２１は、交点Ｑ５の一つ手前の交点Ｑ４に対応する停止位置候補ＳＰ４を停止位置として仮定する。運転計画プロセッサ２１は、停止位置候補ＳＰ４が、第１経路ＢＶ１Ｒとは走行方向が異なる第２経路ＢＶ２Ｓの車線内に含まれるか否かを判断する。停止位置候補ＳＰ４は、第２経路ＢＶ２Ｓの車線内に含まれるので、その停車位置は、第２経路ＢＶ２Ｓを走行する他車両Ｖ２の走行を妨げる可能性がある。特に、仮に渋滞が継続し、信号が青信号から赤信号に変化した場合には、自車両Ｖ１の停止位置が他車両Ｖ２の走行に影響を及ぼすことになる。
【０１４３】
このため、停止位置候補ＳＰ４よりも、１つ手前の停止位置候補ＳＰ３を停止位置と仮定する。運転計画プロセッサ２１は停止位置候補ＳＰ３についても同じ判断を行う。停止位置候補ＳＰ３も第２経路ＢＶ２Ｓと干渉するため、さらに手前の停止位置候補ＳＰ２を候補とする。この停止位置候補ＳＰ２も第２経路である横断歩道ＣＲ１と干渉するので、最終的に、停止線ＳＴ１を停止位置として決定する。
このように、自車両Ｖ１が青信号で交差点を直進する際に、交差点の前方が渋滞している場面では、他車両Ｖ４の停車位置を考慮して停止位置候補の中から適切な停止位置を決定するので、他車両に影響を与えない停止位置に自車両Ｖ１を停止させることができる。
【０１４４】
運転計画プロセッサ２１は、運転計画を立案するにあたり、車線変更が可能であるか否かを判断できる。自車両Ｖ１の前方に対象物が検出された場合には、自車両Ｖ１から対象物までの距離を算出する。速度も考慮し、自車両Ｖ１から対象物までの到達時間を算出してもよい。運転計画プロセッサ２１は、自車両Ｖ１の車線変更が可能か否かを判断する車線変更の可否は、自車両と前方他車両との相対距離Ｘが十分に確保されているかで判定する。一例ではあるが、運転計画プロセッサ２１は、車線変更が可能であると判断する閾値を距離ＸMINにより定義し、自車両から追い抜く車両までの距離Ｘについて、Ｘ > ＸMIN であるか否かを判断する。運転計画プロセッサ２１は、Ｘ > ＸMIN である場合には、自車両Ｖ１の車線変更は可能であると判断し、そうでない場合には、車線変更は不可能であると判断する。閾値ＸMINは，自車両Ｖ１が先行他車両を追い越すために必要な距離であり，自車両Ｖ１がこの走行シーンを走行する上で考慮しなければならない余裕距離である。
【０１４５】
もちろん、車速を考慮して、距離を到達時間として算出してもよい。一例ではあるが、運転計画プロセッサ２１は、車線変更が可能であると判断する閾値を到達時間ＴQにより定義し、自車両から追い抜く車両までの時間Ｔについて、ＴQ> ＴMINであるか否かを判断する。運転計画プロセッサ２１は、ＴQ> ＴMINである場合には、自車両Ｖ１の車線変更は可能であると判断し、そうでない場合には、車線変更は不可能であると判断する。閾値ＴMINは、自車両Ｖ１が先行他車両を追い越すために必要な到達時間であり、自車両Ｖ１がこの走行シーンを走行する上で考慮しなければならない余裕時間である。
本実施形態では、各事象と自車両Ｖ１との相対距離に基づいて、自車両Ｖ１が遭遇する順番に各事象を並べた後に車線変更の可否判断を行う。これにより、自車両の第１経路に隣接する車両や前方を走行する車両をも考慮して他車両の追い越しにも対応することができる。
【０１４６】
続いて、本実施形態の走行支援システム１の処理手順を、図１６のフローチャートに基づいて説明する。なお、各ステップでの処理の概要は、上述したとおりである。ここでは処理の流れを中心に説明し、さらに、具体的な処理例については後述する。
【０１４７】
まず、ステップＳ１において、評価プロセッサ１１は、自車両Ｖ１の自車情報を取得する。自社情報は、自車両Ｖ１の位置、自車両Ｖ１の速度・加速度、自車両Ｖ１の進行方向を含む。
【０１４８】
ステップＳ２において、評価プロセッサ１１は、対象物情報を取得する。対象物情報は、自車両Ｖ１の周囲の物体の存在の有無、物体の属性（静止物又は移動物）、物体の位置、物体の速度・加速度、物体の進行方向を含む。対象物情報は、対象物検出装置２３０、ナビゲーション装置２２０から取得できる。
【０１４９】
ステップＳ３において、評価プロセッサ１１は、自車両Ｖ１がこれから遭遇する直近の遭遇シーンに変更があるか判断する。遭遇シーンはこれから通過する交差点などの場面である。評価プロセッサ１１は、走行経路に変更がないこと、直前に評価対象となっていた遭遇シーンを通過したか否かを判断する。新たな遭遇シーンの設定の要否を判断するためである。評価プロセッサ１１は、既に計算された経路上に自車両Ｖ１の現在位置が属している場合には、走行経路に変更がないと判断する。評価プロセッサ１１は、既に計算された経路上に自車両Ｖ１の現在位置が属していない場合には、走行経路に変更があったと判断する。
評価プロセッサ１１は、直前に遭遇シーンとして設定された領域に自車両Ｖ１の現在位置が属していない場合には、遭遇シーンを通過したと判断する。評価プロセッサ１１は、直前に遭遇シーンとして設定された領域に自車両Ｖ１の現在位置が属している場合には、遭遇シーンを通過していないと判断する。
【０１５０】
評価プロセッサ１１は、走行経路が変更された場合、又は遭遇シーンを通過した場合には、遭遇シーンに変更があると判断し、Ｓ４〜Ｓ９の処理を実行する。評価プロセッサ１１は、走行経路が変更された場合又は遭遇シーンを通過した場合には、遭遇シーンに変更があると判断し、Ｓ４〜Ｓ９の処理を実行する。走行経路が変更されておらず、かつ遭遇シーンを通過していない場合には、遭遇シーンに変更が無いと判断し、Ｓ１０に進む。
【０１５１】
ステップＳ４において、評価プロセッサ１１は、自車両Ｖ１が走行する第１経路を算出する。第１経路は、ナビゲーション装置２２０が算出したものを利用してもよい。第１経路は、道路識別子、車線識別子、レーン識別子、リンク識別子により特定される。これらの車線識別子、レーン識別子、リンク識別子は、地図情報２２２、道路情報２２３において定義される。
【０１５２】
ステップＳ５において、評価プロセッサ１１は、第１経路を走行する自車両Ｖ１が遭遇するシーンを設定する。遭遇シーンは、第１経路と他の経路との交点が存在する地点を含む領域である。第１経路との交点の態様は限定されることなく、合流、分岐、交差、Ｔ字交差、隣接のいずれでもよい。遭遇シーンは、交通規則情報２２４に従い第１経路上において停止が求められる地点を含む領域である。評価プロセッサ１１は、地図情報２２２、道路情報２２３、交通規則情報２２４を参照して、図２Ｂに示すように、自車両Ｖ１が事象に遭遇する可能性の高いシーンを領域Ｒ１として設定する。自車両Ｖ１が遭遇するシーンとしては、例えば、交差点の近傍領域、車線の合流地点の近傍領域、横断歩道の近傍領域、停止線の近傍領域、踏切の近傍領域、工事現場の近傍領域などである。
【０１５３】
ステップＳ６において、評価プロセッサ１１は、第１経路と交点を有する第２経路を抽出する。評価プロセッサ１１は、地図情報２２２、道路情報２２３、を参照して、第１経路と交点を有する第２経路を抽出する。評価プロセッサ１１は、地図情報２２２において定義されたリンク情報（ノード情報）を参照する。複数の経路が交わる場所では、リンク情報（ノード情報）が他の複数のリンクに接続される。評価プロセッサ１１は、リンク情報（ノード情報）の接続状況から第１経路と交わる第２経路を抽出する。
【０１５４】
ステップＳ７において、評価プロセッサ１１は、設定された遭遇シーンにおいて、自車両Ｖ１が遭遇する事象を抽出する。評価プロセッサ１１は、第１経路と第２経路との交点を事象として抽出する。ちなみに、経路の合流地点においては、複数のリンクが一つのリンクに接続される。交差点においては、交差点への入口付近が車線の分岐地点に対応し、交差点の出口付近が車線の合流地点に対応する。このように、一つのリンクが複数のリンクに接続されている地点は、交差点の出口側において第１経路と第２経路とが交わる事象として抽出できる。つまり、一つのリンクが複数のリンクに接続されている地点の存在を検出することによって交差点の出口における第２経路を検出できる。また、横断歩道にもリンク情報が定義されており、第１経路のリンクと横断歩道のリンクの交差判定を行うことにより、第１経路と交わる横断歩道を第２経路として検出できる。評価プロセッサ１１は、交通規則情報２２４に従い第１経路上において停止が求められる地点を事象として抽出する。
【０１５５】
抽出した事象の位置は、経路と対応づけて記憶する。抽出した事象の位置を地図情報２２２、道路情報２２３に対応づけて記憶してもよい。後に行われる運転計画の立案においては、抽出した事象の位置ごとに運転行動が決定される。
【０１５６】
ステップＳ８において、評価プロセッサ１１は、抽出した複数の事象を、自車両Ｖ１が遭遇する順序に従い並び替える。
【０１５７】
ステップＳ９において、出力制御プロセッサ３１は、並び替えられた複数の事象をディスプレイ２５１に表示する。出力制御プロセッサ３１は、並び替えられた複数の事象を、スピーカ２５２を用いて音声出力してもよい。
【０１５８】
ステップＳ１１において、運転計画プロセッサ２１は、第１経路を走行する自車両が遭遇する対象物を抽出する。運転計画プロセッサ２１は、ステップＳ２で得た対象物情報のうち、第２経路に存在する対象物の情報を抽出する。図２Ｇに示す例では、第２経路ＢＶ２Ｌを走行する他車両Ｖ２と、第２経路ＢＶ３Ｒを走行する他車両Ｖ３とが抽出される。
【０１５９】
ステップ１２において、運転計画プロセッサ２１は、対象物と事象又は経路を対応づける。経路が特定できれば、第１経路との交点は絞り込めるので、対象物情報は経路識別子と対応づけてもよい。他車両Ｖ２の対象物情報は、第２経路ＢＶ２Ｌの識別子又は交点ＱＶ１２の識別子（位置情報）と対応づけられる。他車両Ｖ３の対象物情報は、第２経路ＢＶ３Ｒ又は交点ＱＶ１２の識別子と対応づけられる。
【０１６０】
ステップＳ１３において、運転計画プロセッサ２１は、事象ごとに運転行動を決定する。運転行動は、上述したとおり、自車両Ｖ１と対象物との接触の可能性に基づいて決定する。接触の可能性は、自車両Ｖ１と対象物との距離又は両者が接触するまでの時間に基づいて判断される。
【０１６１】
ステップＳ１４において、運転計画プロセッサ２１は、シーンとして設定された領域Ｒ１に属する複数の事象に、「停止」と判断された事象が存在するか否かを判断する。シーンとして設定された領域Ｒ１内において、「停止」と判断された事象が一つでも存在するか否かを判断する。
【０１６２】
ステップＳ１４において、「停止」と判断された事象が存在しないと判断された場合には、ステップＳ１６に進み、シーンとして設定された領域Ｒ１を「通過する」旨の運転計画を立案する。他方、ステップＳ１４において、「停止」と判断された事象が一つ以上存在する場合には、ステップＳ１５に進み、シーンとして設定された領域Ｒ１における運転計画を立案する。具体的には、抽出された事象ごとに進行又は停止の運転内容を判断し、事象の位置に応じた停止位置を設定する。
【０１６３】
続くステップＳ１７において、立案された運転計画に基づいて、運転制御を実行する。車両コントローラ２１０を介して、停止が判断された事象の位置において自車両Ｖ１を停止させ、進行が判断された事象の位置において自車両Ｖ１を進行させる。
【０１６４】
図１７は、図１６に示す運転計画の立案処理のサブルーチンを示すフローチャートである。
図１７に示すように、ステップＳ２１において、運転計画プロセッサ２１は、各事象の位置に応じて停止位置候補を設定する。ステップＳ２２において、運転計画プロセッサ２１は、複数の停止位置候補が近接し、所定距離以内である場合には、これらを統合する。ステップＳ２３において、運転計画プロセッサ２１は、停止位置候補の適否を判断する。具体的に、運転計画プロセッサ２１は、停止位置候補の位置が、第２経路の領域内に存在するか、駐停車禁止領域に存在しないかを判断する。
【０１６５】
ステップＳ２４において、運転計画プロセッサ２１は、絞り込み後の停止位置候補が複数ある場合には、ステップＳ２５に進み、自車両Ｖ１が最初に遭遇する停止位置候補を選択する。ステップＳ２６において、運転計画プロセッサ２１は、停止位置を決定する。
【０１６６】
図１８は、図１７に示す停止位置候補の絞り込み処理のサブルーチンを示すフローチャートである。
ステップＳ３１において、運転計画プロセッサ２１は、停止位置候補が停止可能領域内であるか否かを判断する。停止位置候補が停止可能領域内でない場合には、停止することが好ましくないので、ステップＳ３４に進み、停止位置候補を削除する。停止位置候補が駐停車禁止領域内にある場合にも、その停止位置候補を削除する。他方、停止位置候補が停止可能領域内である場合にはステップＳ３２に進む。
【０１６７】
ステップＳ３２において、運転計画プロセッサ２１は、自車両が第１経路の領域内であるか否かを判断する。停止位置候補が第１経路の領域内でない場合には、他の経路を走行する他車両や他の経路である横断歩道を歩行する歩行者に好ましくない影響を与える可能性がある。このため、ステップＳ３５に進み、停止位置候補の位置を上流側（自車両側）にシフトする。他方、停止位置候補が第１経路の領域内である場合にはステップＳ３３に進む。
【０１６８】
ステップＳ３２において、運転計画プロセッサ２１は、第１経路に合流する他車両の車速が所定値未満であるか否かを判断する。所定値は、渋滞発生を判断するための速度の閾値である。他車両の速度が遅い場合には、合流後に渋滞が生じている可能性がある。
他車両の車速が所定値未満である場合には、ステップＳ３６に進む。
【０１６９】
ステップＳ３２において、運転計画プロセッサ２１は、合流後の経路で生じている渋滞の影響により、自車両Ｖ１が適切な位置に停車できない可能性を考慮し、予め停止位置後方を上流側（自車両Ｖ１側）にシフトする。第１経路に合流する他車両の車速が所定値未満ではない場合には、ステップＳ２４へ進む。ステップＳ２４〜Ｓ２６は、図１７において説明した処理と共通する。
【０１７０】
以下、事象の抽出処理に関する他の態様を説明する。
本実施形態のシーン評価装置１０は、評価プロセッサ１１を備える。車載装置２００などの他の構成については、先述したとおりである。
【０１７１】
本実施形態の評価プロセッサ１１は、自車両が走行する第１経路と、これと交点を有する第２経路を抽出する。
本実施形態の評価プロセッサ１１は、第１経路を走行する自車両Ｖ１の経時的な移動予測線を算出する。移動予測線は、時間軸の要素を含む。この移動予測線とは、移動する自車両Ｖ１の位置に関する情報であって、時間の経過に伴い変化する位置情報の集合である。自車両Ｖ１の位置変化は、現在地と、ナビゲーション装置２２０に入力された目的地情報に基づいて予測する。評価プロセッサ１１は、移動予測線の算出をナビゲーション装置２２０に実行させ、結果を取得してもよい。移動予測線は連続的な線分であってもよいし離散的な線分であってもよい。
【０１７２】
また、評価プロセッサ１１は、第１経路を走行する自車両Ｖ１の経時的な移動予測帯を算出する。移動予測帯は、時間軸の要素を含む。この移動予測帯とは、移動する自車両Ｖ１の位置に関する情報であって、時間の経過に伴い変化する位置情報の集合である。移動予測帯は、自車両Ｖ１の位置を面により示すものである点で、移動予測線と異なるが、情報の内容は移動予測線と共通する。移動予測帯は、移動予測線の幅を所定の面に沿って拡大して得てもよい。評価プロセッサ１１は、移動予測帯の算出をナビゲーション装置２２０に実行させ、結果を取得してもよい。
【０１７３】
本実施形態の評価プロセッサ１１は、第１経路を走行する自車両Ｖ１の経時的な移動予測線を算出し、第１経路と交点を有する第２経路と移動予測線との交点の位置に基づいて、自車両が遭遇する事象を抽出する。時間を考慮した移動予測線との交点位置から事象を抽出することにより、適切な事象を抽出できる。
【０１７４】
本実施形態の評価プロセッサ１１は、移動予測線と第２経路との交点のうち、第２経路を走行する他車両の進行方向に沿って最も上流側に位置する交点の位置に基づいて事象を抽出する。移動予測線と第２経路とが、最も早いタイミングで交わる交点の位置に基づいて事象を抽出する。第２経路を走行する他車両の移動方向を考慮することにより、時間を考慮した適切な事象を抽出できる。
【０１７５】
本実施形態の評価プロセッサ１１は、第１経路を走行する自車両の経時的な移動予測帯を算出し、第２経路と移動予測帯との交点のうち、最も早いタイミングで得られる交点であって、第２経路の進行方向に沿って最も上流側に位置する交点の位置に基づいて自車両が遭遇する事象を抽出する。第２経路と移動予測帯との交点は線分となり、このうち、第２経路の進行方向に沿って最も上流側の交点とすることで、時間を考慮した一点の事象を抽出できる。
【０１７６】
本実施形態の評価プロセッサ１１は、第１経路のうち車線が定義されていない領域を走行する場合に、移動予測線又は移動予測帯を、地図情報２２２を参照して生成する。これにより、交差点などの車線が定義されていない領域についても事象を抽出できる。
【０１７７】
本実施形態の評価プロセッサ１１は、ノードとリンクが定義された地図情報２２２を参照し、自車両が走行する第１経路に対応づけられたノードであって、他の複数のノードと接続関係が定義された第１ノードを抽出し、第１ノードと接続関係が定義された他のノードが属する経路を第２経路として選択する。ノードの接続態様を用いて第２経路を検索できるので、低い処理負荷で第２経路を検索できる。
【０１７８】
本実施形態の評価プロセッサ１１は、抽出された自車両Ｖ１が遭遇する複数の事象の距離が所定値未満である場合には、複数の事象を一の事象に統合する。近接する事象を整理することにより、進行／停止が繰り返されることを防止して、スムーズな運転を実行できる。
【０１７９】
本実施形態の運転計画プロセッサ２１は、評価プロセッサ１１によって抽出された複数の事象に対して進行行動又は停止行動の何れか一方を決定する。これにより、時間的に違和感の無い事象を抽出できる。
【０１８０】
図１９に示すシーンにおける具体的な処理例に説明する。図１９では、第１経路ＢＶ１Ｌに沿って、自車両Ｖ１が、Ｔ字路の非優道路から優先経路に左折して進入するシーンを示す。
【０１８１】
図２０は、本処理の制御手順を示すフローチャートである。制御手順を説明しながら、事象の抽出処理を説明する。
【０１８２】
ステップＳ１０１において、評価プロセッサ１１は、自車両の現在位置を位置検出装置２２１から取得する。ステップＳ１０２において、評価プロセッサ１１は、現在位置と目的地から求めた自車両Ｖ１の第１経路を取得する。第１経路は、道路の特定のみならず、方向情報も含む車線において特定される。第２経路も同様である。評価プロセッサ１１は、ナビゲーション装置２２０に経路の演算をさせる。ステップＳ１０３において、評価プロセッサ１１は、自車両が走行する第１経路の境界（レーンマーク、縁石、ガードレールなど）の位置情報を取得する。評価プロセッサ１１は、第１経路の境界の情報を地図情報２２２又は道路情報２２３から取得してもよい。
【０１８３】
交差点や合流地点などの領域においては、道路に車線の境界情報が存在しない。このため、評価プロセッサ１１は、境界の情報が無い領域については、仮想的な境界情報を作成する。評価プロセッサ１１は、交差点前後の車線の境界情報（レーンマーク、縁石、ガードレールなど）と車線の行先情報から、仮想的な車線の境界を生成する。一例ではあるが、図２１に示すように、交差点前後の車線の境界情報ＬＮ１，ＬＮ２と、縁石の境界情報ＳＬ１，ＳＬ２と、第１経路ＢＶ１Ｌの左折情報と、を用いて、レーンマークが無い部分における仮想的な車線の境界ＬＮ０を生成する。評価プロセッサ１１は、図２１に示すように、「左折前の第１経路の車線ＬＮ１」と「左折後の第１経路の車線ＬＮ２」の車線情報を接続して、仮想的な車線を生成できる。
なる。
【０１８４】
ステップＳ１０４において、評価プロセッサ１１は、第１経路を走行する自車両Ｖ１が将来の時間において、所在する位置の情報である移動予測線／移動予測帯を算出する。自車両の移動が予測される地点を時間軸に対応づけたものである。ここで算出する移動予測線又は移動予測帯は、連続関数で定義された経路である必然性はなく、不連続関数で定義された経路であってもよい。評価プロセッサ１１は、図２１に示した仮想的な車線の境界線を用いて移動予測線又は移動予測帯を算出してもよい。図２２に示すように、仮想的な車線の境界線の幅方向の中点を用いて移動予測線を算出してもよいし、仮想的な車線の中央から所定幅の領域を指定して移動予測帯を算出してもよい。
【０１８５】
ステップＳ１０５において、評価プロセッサ１１は、第１経路と交点を有する第２経路を算出する。評価プロセッサ１１は、地図情報２２２において第１経路に対応づけられたノード、リンク情報を用いて第２経路を算出する。例えば、図２３に示すように、Ｔ字路を表現する複数のノード／リンクを読み込む。地図情報２２２においては、各ノードの接続先が交差点での接続先を表現する。交差点のノードは、１つのノードから複数のノードにリンクが分岐されているもの、複数のノードから１つのノードにリンクが集約されているものがある。本処理においては、複数のノードから１つのノードにリンクが集約されたノードに着目する。複数のリンクの行先が集まるノードでは、第１経路に接続する可能性のあるリンクを抽出できる。このため、自車両Ｖ１の第１経路に干渉する可能性のある第２経路を抽出できる。
【０１８６】
ステップＳ１０６において、評価プロセッサ１１は、移動予測線と第２経路との交差線分を求める。図２４Ａに示すように、移動予測線Ｚは有限の長さを持った線分である。走行支援装置１００においては、遭遇する事象に対応しながら自車両Ｖ１を走行させるために、数百メートル先の情報を考慮する。その場合には、移動予測線Ｚの長さは、数百メートルとなる。他方第２経路は車線が続く限り継続する領域である。ここで求める交差線分は、「移動予測線Ｚ」と「第２経路ＢＶ」の交点である。図２４Ａに示す例では、地点Ａから地点Ｂまでが交差線分である。また、「移動予測線Ｚ」の長さを、リンクの長さに基づいて決定する場合には、「移動予測線Ｚ」の長さは、１つのリンクの一方端から他方端までの有限長となる。図２３に示すリンクの長さを基準とすると、「移動予測線Ｚ」の長さは、図２４Ｂに示すように地点Ａから地点Ｂ´の長さとなる。
【０１８７】
ステップＳ１０７において、評価プロセッサ１１は、第２経路ＢＶ２Ｓの進行方向を判断する。地図情報２２２のリンクの方向から進行方向を判断してもよい。第２経路は、自車両Ｖ１から見て、図中右方向から左方向に矢印の方向に移動する。
【０１８８】
ステップＳ１０８において、評価プロセッサ１１は、求めた第２経路と移動予測線との交差線分の中で、第２経路ＢＶ２Ｓを走行する他車両が自車両に接近してくる方向に沿って、その上流側（図中右側）に最も近い地点の事象を選択する。
【０１８９】
評価プロセッサ１１は、図２４Ｂに示す線分ＡＢのうち、第２経路ＢＶ２Ｓの走行方向の上流側（図中右側）に最も近い地点は地点Ａである。この地点は、線分ＡＢを構成する点のうち、最も右側に位置する。本例は、自車両Ｖ１が左折する場合であるので、右折時においては反対となる。
【０１９０】
事象として選択された地点Ａは、横断歩道ＣＲ４よりも上流側に位置付けることができる。ところで、時間を考慮しないときには、図２４Ｂに示すＡ又はＢ´のいずれもが事象となりうる。地点Ｂ´を事象として抽出すると、横断歩道を通過した後に事象が生じるという判断となる。これでは、実際に自車両が遭遇する順番と逆になってしまい、自車両が遭遇する事象の順序に基づく行動決定を行うことができなくなるといった問題が生じる。これに対し、本実施形態では、自車両Ｖ１が遭遇する事象の順番を考慮しているため、横断歩道ＣＲ４の手前の地点Ａを事象として抽出できる。
【０１９１】
本処理によれば、自車両がＴ字路の非優先側の道路から優先側の道路に左折して進入する際に、Ｔ字路の優先経路である第２経路を右から左に走行する車両の進行方向を考慮して、事象を適切な位置に設定できる。自車両が実際に遭遇する事象の順序に矛盾せずに、自車両が遭遇する事象を求めることができる。
【０１９２】
続いて、移動予測帯を算出し、これを用いて事象を抽出する処理を説明する。
先に図２１を用いて説明した態様と同様に、自車両がＴ字路の非優先経路から優先経路に左折して進入し、Ｔ字路の優先経路を右から左に他車両が走行する場面を例に説明する。
【０１９３】
図２５は、本処理の制御手順を示すフローチャートである。ステップＳ１０１、ステップＳ１０２，ステップＳ１０５は図２０に基づいて説明した先述の処理と同じである。
続くステップＳ２０１において、評価プロセッサ１１は、図２６Ａに示すように、移動予測帯と第２経路とが重なる領域を判断する。移動予測帯は、有限の長さ（又は幅）を持った領域である。予測する範囲に応じて移動予測帯の長さは数百メートルに至る。図２６Ｂに示すように移動予測帯をリンクで定義する場合には、リンクの有限の長さの領域となる。
【０１９４】
続くステップＳ２０１において、評価プロセッサ１１は、第２経路を走行する他車両の接近方向を判断する。他車両の接近方向は第２経路の走行方向から判断できる。
【０１９５】
Ｓ２０２において、評価プロセッサ１１は、第２経路ＢＶ２Ｓの他車両の接近方向に最も近い地点を事象として抽出する。具体的には、図２６Ｃに示すように、「第２経路」と移動予測帯との境界線ａのうち、自車両Ｖ１から近い側で、かつ、最も第２経路ＢＶ２Ｓの進行方向上流側の地点Ｃが本例の事象となる。地点Ｃは、自車両の移動予測帯の停止線と横断歩道よりも後方で、かつ、交差点を通過後の横断歩道よりも前方に位置付けられることが分かる。
【０１９６】
評価プロセッサ１１は、事象の統合処理を実行する。本処理は、図２０に示す処理の後に実行される。
図２７Ａに示す例を用いて、事象の統合処理について説明する。図２７Ａは、自車両Ｖ１が第１経路ＢＶＬ１に沿って、交差点で左折する際に、対向車線から右折する他車両Ｖ３、および、第１経路ＢＶ１Ｌに交差する第２経路ＢＶ２Ｓを直進する他車両Ｖ２を考慮して事象を抽出する。
【０１９７】
図２７Ｂに示すように、交差点を左折した直後にノードＮＤ１が設定されており、そのノードＮＤ１に対して、自車両Ｖ１が走行するリンクＬＫ１、対向車線から右折する他車両Ｖ３が走行するリンクＬＫ３、右から左に直進する他車両Ｖ２が走行するリンクＬＫ２の３種類のリンクが流入している。このように、複数のノードから１つのノードにリンクが集約されたノードに着目すると、自車両の走行する第１経路と交点を有するリンクを抽出できる。結果として、第２経路を容易に抽出できる。
【０１９８】
図２７Ｃに示すように走行予測線（走行予測帯）と第２経路との交差線分を求める。本実施例においては、「走行予測線（走行予測帯）」と「第２経路ＢＶ３Ｒ」との交差線分である線分ＤＥ、「走行予測線（走行予測帯）」と「第２経路ＢＶ２Ｓ」との交差線分である線分ＦＧが存在する。
【０１９９】
「第２経路ＢＶ３Ｒ」「第２経路ＢＶ２Ｓ」を走行する他車両の接近方向を判断し、自車両Ｖ１のどの方向から接近するかを判断する。本例においては、自車両Ｖ１から見て、他車両Ｖ３は図中上から下へ移動しと、他車両Ｖ２は右方向から左方向に移動する。
【０２００】
評価プロセッサ１１は、交差線分の中で、他車両が接近する方向の最も上流側の地点を事象とする。本実施例においては、地点Ｄと地点Ｆが抽出される。
【０２０１】
評価プロセッサ１１は、図２７Ｄに示すように、所定領域内に事象が複数存在する場合には、統合する。例えば、複数の事象が同じ車線内に存在する場合には、１つの事象として統合する。これにより、停止位置を共通にできる。
【０２０２】
評価プロセッサ１１は、図２８に示すように、Ｔ字路を右折する場合には、干渉地点Ａ，Ｂが２点存在する。１点目が「第１経路ＢＶ１Ｒ」と「第２経路ＢＶ２Ｓ」との交点、２点目が「第１経路ＢＶ１Ｒ」と「第２経路ＢＶ４Ｓ」との交点である。１点目と２点目における停止については、同じ車線上に干渉地点がないものの、ドライバの行動としては、手前側の車線に進入する手前で停止する。このように、事象が所定の範囲内に複数存在する場合、もしくは、複数の干渉地点に対して停止位置が同一になる場合には、１つの干渉地点として統合することで、停止位置をシンプルに考えることができる。
【０２０３】
図２９には、交差点において遭遇するシーンの一例を示す。自車両Ｖ１の走行に影響を与える事象は、以下の５つの対象物との遭遇である。（１）合流する第２経路の他車両Ｖ２Ａの存在、（２）他車両Ｖ２Ｂの存在、（３）他車両Ｖ２Ｃの存在、（４）隣接車線を走行する他車両Ｖ２Ｄの存在、（５）横断歩道を渡る歩行者。
一般的な処理においては、上記５つの対象物についての有無を取得し、各対象物との位置関係を算出したうえで、進行／停止を判断する。各対象物の有無の判断を考えても、２５個の判断処理を実行する必要がある。
これに対し、本実施形態では、第１経路と第２経路との交点における事象のみに絞り込んで進行／停止を判断する。図２９に示す例において、走行支援装置１００は、（１）停止線における進行／停止、（２）横断歩道における進行／停止、（３）第２経路との交点における進行／停止、（４）横断歩道における進行／停止、４通りの判断処理のみを実行すればよい。
このように、事象を絞り込み、時系列に並べた情報にすることにより、シンプルな判断となり、処理負荷を低減させることができる。
さらに、この図２９の判断結果の表示例を図３０に示す。図３０に示すように、各事象における判断をシンプルに表現できる。自車両の進行に伴う時間軸に遭遇する事象が対応づけられているので、ユーザにとって把握しやすい。ユーザは、自車両の判断内容、つまり運転計画の内容を装置と共有できる。特に、走行支援処理が、一部又は全部の運転の制御を実行する場合には、車両側の運転計画をユーザに迅速に伝えることにより、自動運転（一部自動運転）の制御への信頼を高めることができる。
【０２０４】
本発明の実施形態の走行支援装置１００は、以上のように構成され動作するので、以下の効果を奏する。
【０２０５】
［１−１］本実施形態のシーン評価装置１０は、自車両が走行する第１経路と、その第１経路と交点を有する第２経路との関係に基づいて、第１経路を走行する自車両が遭遇する複数の事象を抽出し、抽出された各事象と自車両との関係を用いて、シーンを評価する。本実施形態のシーン評価装置１０を用いれば、自車両が行動決定をする観点から重要と判断された事象についてのみ考慮して、自車両が遭遇するシーンを評価できる。判断すべき事象を絞り込むことができるので、処理負担を軽減できる。自動運転を含む走行支援において、処理の遅れは好ましくない。処理負荷を軽減することにより、処理に係る時間を短縮できるので、処理の遅延の発生を防止できる。
【０２０６】
［１−２］本実施形態のシーン評価装置１０は、第１経路の交通規則と各第２経路の交通規則とから導かれる関係を用いて、第１経路を走行する自車両が遭遇する事象を抽出する。本実施形態のシーン評価装置１０を用いれば、交通規則の観点から検討が必要な事象を抽出できる。
【０２０７】
［１−３］本実施形態のシーン評価装置１０は、自車両の周囲に存在する物体の検出情報を用いて、第１経路を走行する自車両が遭遇する事象を抽出する。本実施形態のシーン評価装置１０を用いれば、自車両の運転に影響を与える物体を事象として抽出できる。
【０２０８】
［１−４］本実施形態のシーン評価装置１０は、対象物が存在する位置情報を用いて、第１経路を走行する自車両が遭遇する事象を抽出する。本実施形態のシーン評価装置１０を用いれば、対象物の位置を考慮した事象を抽出できる。
【０２０９】
［１−５］本実施形態のシーン評価装置１０は、第１経路の交通規則と第２経路の交通規則とを用いて、第１経路と第２経路との通行に関する優先度を求め、優先度を用いて自車両が遭遇する事象を抽出する。本実施形態のシーン評価装置１０を用いれば、優先経路や信号規則などの観点から検討が必要な事象を抽出できる。
【０２１０】
［１−６］本実施形態のシーン評価装置１０は、第１経路の信号情報と第２経路の信号情報とを用いて、第１経路と第２経路との通行に関する優先度を求め、優先度を用いて第１経路を走行する自車両が遭遇する事象を抽出する。本実施形態のシーン評価装置１０を用いれば、実際の交通信号の指示の観点から検討が必要な事象を抽出できる。
【０２１１】
［１−７］本実施形態のシーン評価装置１０は、第１経路の道路情報と第２経路の道路情報とを用いて、第１経路と第２経路との通行に関する優先度を求め、優先度を用いて第１経路を走行する自車両が遭遇する事象を抽出する。本実施形態のシーン評価装置１０を用いれば、道路幅、道路の交通量、道路形状などの観点から検討が必要な事象を抽出できる。
【０２１２】
［１−８］本実施形態の走行支援装置１００は、評価プロセッサにより評価された事象と自車両との関係を用いて、第１経路走行時の運転計画を立案する。本実施形態の走行支援装置１００を用いれば、必要な事象についての評価に基づいて運転計画を立案できる。検討すべき事象が絞り込まれているので、適切な運転計画を立案しつつ、処理時間を短縮できる。これにより遅延時間の短い走行支援を実行できる。
【０２１３】
［１−９］本実施形態の走行支援装置１００は、対象物が存在する位置情報を用いて、第１経路を走行する自車両が遭遇する事象に対する運転を計画する。本実施形態の走行支援装置１００を用いれば、自車両の運転に影響を与える物体についてのみ検討した運転計画を立案できる。
【０２１４】
［１−１０］本実施形態の走行支援装置１００は、第１経路の交通規則と各第２経路の交通規則とを用いて、第１経路と第２経路との通行に関する優先度を求め、優先度を用いて第１経路を走行する自車両が遭遇する事象に対する運転を計画する。本実施形態の走行支援装置１００を用いれば、優先経路や信号規則などを考慮した運転計画を立案できる。
【０２１５】
［１−１１］本実施形態の走行支援装置１００は、第１経路の信号情報と各第２経路の信号情報とを用いて、第１経路と第２経路との通行に関する優先度を求め、優先度を用いて第１経路を走行する自車両が遭遇する事象に対する運転を計画する。本実施形態の走行支援装置１００を用いれば、実際の交通信号の指示を考慮した運転計画を立案できる。
【０２１６】
［１−１２］本実施形態の走行支援装置１００は、第１経路の道路情報と各第２経路の道路情報とを用いて、第１経路と第２経路との通行に関する優先度を求め、優先度を用いて第１経路を走行する自車両が遭遇する事象に対する運転を計画する。本実施形態の走行支援装置１００を用いれば、道路幅、道路の交通量、道路形状などを考慮した運転計画を立案できる。
【０２１７】
［１−１３］本実施形態のシーン評価方法は、自車両が走行する第１経路と交点を有する第２経路を抽出し、第１経路と第２経路との関係に基づいて、第１経路を走行する自車両が遭遇する複数の事象を抽出する。本実施形態のシーン評価方法を用いれば、１−１で述べた作用効果を得ることができる。
【０２１８】
［２−１］本実施形態のシーン評価装置１０は、第１経路を走行する際に遭遇する複数の事象を抽出し、抽出された複数の事象を自車両が遭遇する順序に沿って並べ替える。本実施形態のシーン評価装置１０を用いれば、絞り込まれた事象を自車両の遭遇順序に並び替えることにより、さらなる演算負荷を生じさせることなく、遭遇順序を考慮して事象を評価できる。
【０２１９】
［２−２］本実施形態のシーン評価装置１０は、静止物と移動体を含む事象を抽出し、抽出された複数の事象に含まれる静止物と移動体とを、自車両が遭遇する順序に沿って並べ替える。本実施形態のシーン評価装置１０を用いれば、さらなる演算負荷を生じさせることなく、同じ時間軸で静止物と移動体とを含む対象物の遭遇順序を評価できる。
【０２２０】
［２−３］本実施形態のシーン評価装置１０は、自車両が走行する第１経路と、第１経路と交点を有する第２経路との関係に基づいて、第１経路を走行する自車両が遭遇する複数の事象を抽出し、抽出された各事象と自車両との関係を用いて、シーンを評価する。本実施形態のシーン評価装置１０を用いれば、自車両が行動決定をする観点から重要と判断された事象についてのみ考慮して、自車両が遭遇するシーンを評価できる。判断すべき事象を絞り込むことができるので、処理負担を軽減できる。
【０２２１】
［２−４］本実施形態の走行支援装置１００は、抽出された事象を示す情報を、自車両が遭遇する順序に沿って並べて表示する。本実施形態の走行支援装置１００を用いれば、自車両Ｖ１のドライバは、どのような事象に、どのような順序で遭遇するかということを視覚的に認識できる。
【０２２２】
［２−５］本実施形態の走行支援装置１００は、自車両から各事象までの実際の距離の比に応じた位置に、抽出された事象を示す情報を表示する。本実施形態の走行支援装置１００を用いれば、自車両Ｖ１のドライバは、どのような事象と、どのような順序で、いつ遭遇するかということを視覚的に認識できる。
【０２２３】
［２−６］本実施形態の走行支援装置１００は、評価プロセッサにより評価された事象と自車両との関係を用いて、自車両が第１経路を走行する際の運転計画を立案する。本実施形態の走行支援装置１００を用いれば、必要な事象についての評価に基づいて運転計画を立案できる。検討すべき事象が絞り込まれているので、適切な運転計画を立案しつつ、処理時間を短縮できる。これにより遅延時間の短い走行支援を実行できる。
【０２２４】
［２−７］本実施形態の走行支援装置１００は、自車両が第１経路を走行する際に遭遇する複数の事象のうち、事象に対して自車両が停止すべき関係であり、かつ自車両が最初に遭遇する一つの事象を抽出し、抽出された一の事象が生じるポイントを自車両の停止地点とする運転計画を立案する。本実施形態の走行支援装置１００を用いれば、自車両の現在位置に最も近い事象で自車両Ｖ１を停止させるので、交通流に対して与える影響を抑制できる。
【０２２５】
［２−８］本実施形態のシーン評価方法は、経路を走行する自車両が遭遇するシーンを評価する評価プロセッサを用いて、自車両が第１経路を走行する際に遭遇する複数の事象を抽出し、抽出された複数の事象を自車両が遭遇する順序に沿って並べ替えて出力する。本実施形態のシーン評価方法を用いれば、２−１で述べた作用効果を得ることができる。
【０２２６】
［３−１］本実施形態のシーン評価装置１０は、第１経路を走行する自車両の経時的な移動予測線を算出し、第１経路と交点を有する第２経路と、移動予測線との交点の位置に基づいて抽出された事象と自車両との関係を用いてシーンを評価する。カメラの撮像画像など、自車両の現在位置から同時に取得される複数の事象は分離することが難しく、さらに、撮像画像に含まれる複数の事象の遭遇順序を正確に判断することは難しい。遭遇順序が正確に導けないと、時系列で立案すべき運転計画の信頼性を損ねることになる。本実施形態のシーン評価装置１０を用いることにより、事象の遭遇順序を考慮した精度の高い運転計画を立案しつつ、演算負荷の低減を図ることができる。
【０２２７】
［３−２］本実施形態のシーン評価装置１０は、移動予測線と第２経路との交点のうち、第２経路の進行方向に沿って最も上流側に位置する交点の位置に基づいて事象を抽出する。本実施形態のシーン評価装置１０を用いれば、シーンにおいて最初に注意すべき事象（地点）を適切に抽出できる。
【０２２８】
［３−３］本実施形態のシーン評価装置１０は、第１経路のうち車線が定義されていない領域を走行する場合には、地図情報を参照して、移動予測線を生成する。本実施形態のシーン評価装置１０を用いれば、交差点や合流地点などの車線が定義されていない場所でも適切な事象（地点）を抽出できる。
【０２２９】
［３−４］本実施形態のシーン評価装置１０は、第１経路を走行する自車両の経時的な移動予測帯を算出し、第１経路と交点を有する第２経路と、移動予測帯との交点のうち、最も早いタイミングで得られる交点であって、第２経路の進行方向に沿って最も上流側に位置する交点の位置に基づいて、自車両が遭遇する事象を抽出し、抽出された事象と自車両との関係を用いて、シーンを評価する。本実施形態のシーン評価装置１０を用いることにより、最終的な運転計画を立案するまでのプロセスを簡素化できる。必要な事象を考慮した精度の高い運転計画を立案しつつ、演算負荷の低減を図ることができる。
【０２３０】
［３−５］本実施形態のシーン評価装置１０は、第１経路のうち車線が定義されていない領域を走行する場合には、地図情報を参照して移動予測帯を生成する。本実施形態のシーン評価装置１０を用いれば、交差点や合流地点などの車線が定義されていない場所でも適切な事象（地点）を抽出できる。
【０２３１】
［３−６］本実施形態のシーン評価装置１０は、ノードとリンクが定義された地図情報を参照し、自車両が走行する第１経路に対応づけられたノードであって、他の複数のノードと接続関係が定義された第１ノードを抽出し、第１ノードと接続関係が定義された他のノードが属する経路を第２経路として選択する。本実施形態のシーン評価装置１０を用いれば、ノードとリンクの情報を利用することにより、低い演算負荷で第２経路を求めることができる。
【０２３２】
［３−７］本実施形態のシーン評価装置１０は、抽出された自車両が遭遇する複数の事象の距離が所定値未満である場合には、複数の事象を一の事象に統合する。本実施形態のシーン評価装置１０を用いれば、近接した複数の事象をまとめることができるので、ストップアンドゴーを繰り返すことなく、シーンの領域Ｒ１内をスムーズに走行できる。
【０２３３】
［３−８］本実施形態の走行支援装置１００は、抽出された複数の事象に対して進行行動又は停止行動の何れか一方を決定する。本実施形態の走行支援装置１００を用いれば、判断の必要性が高い各事象について、ストップ又はゴーのいずれかを決定することにより、正確で簡潔な運転計画を立案できる。
【０２３４】
［３−９］本実施形態のシーン評価方法は、第１経路を走行する自車両の経時的な移動予測線を算出し、第１経路と交点を有する第２経路と、移動予測線との交点の位置に基づいて、自車両が遭遇する事象を抽出し、抽出された事象と自車両との関係を用いてシーンを評価する。本実施形態のシーン評価方法を用いれば、３−１に記載した作用効果を得ることができる。
【０２３５】
［４−１］本実施形態の運転計画装置２０は、自車両が遭遇する複数の事象に対してそれぞれ一つの行動を決定し、各事象に対して決定された各行動の内容を用いて、自車両が遭遇するシーンに対して一連の運転計画を立案する。本実施形態の運転計画装置２０を用いれば、最終的な運転計画を立案するまでのプロセスを簡素化できる。必要な事象を考慮した精度の高い運転計画を立案しつつ、演算負荷の低減を図ることができる。また、一つのシーンの通過開始から通過終了までの間に、どこに停車すればよいのかが明確にされた運転計画を立案できる。
【０２３６】
［４−２］本実施形態の運転計画装置２０は、自車両が遭遇する複数の事象に対して進行行動又は停止行動の何れか一方を決定する。本実施形態の走行支援装置１００を用いれば、判断の必要性が高い各事象について、ストップ又はゴーのいずれかを決定することにより、正確で簡潔な運転計画を立案できる。
【０２３７】
［４−３］本実施形態の運転計画装置２０は、自車両が遭遇する複数の事象に対して停止行動の決定又は判断不能の決定がされた場合には、自車両に最も近い事象において自車両を停止させる。本実施形態の運転計画装置２０を用いることにより、シーンに対応する領域Ｒ１内に停止すべき地点が存在する場合には、直ちに、自車両Ｖ１を停止させるので、リスクを回避できる。
【０２３８】
［４−４］本実施形態の運転計画装置２０は、自車両が遭遇する複数の事象について、進行行動が決定された事象の次に遭遇する事象について停止行動又は判断不能の決定がされた場合には、進行行動が決定された事象との遭遇ポイントにおいて自車両を停止させる。本実施形態の運転計画装置２０を用いることにより、いったん進行行動が決定された場合であっても、自車両Ｖ１が次に遭遇する事象が停止行動又は判断不能である場合には、進行行動が決定された位置に自車両Ｖ１を停止させることができる。進行行動が決定された場所は、自車両Ｖ１の存在が許可された場所であるので、安全に自車両Ｖ１を停止させることができる。
【０２３９】
［４−５］本実施形態の運転計画装置２０は、自車両が遭遇する複数の事象のうち、停止行動又は判断不能の決定がされた事象が第２経路内に属する場合には、当該事象よりも上流側であって停止可能な位置にて自車両を停止させる。ある事象について停止行動又は判断不能の決定がされた場合であっても、その事象に応じた停止位置が第２経路に属するときには、第２経路を走行する他車両の走行を妨害する可能性があるので、停止位置として適切ではない。本実施形態の運転計画装置２０を用いれば、第２経路内ではなく、上流側の停止可能な位置に停止位置を設定できる。
【０２４０】
［４−６］本実施形態の運転計画装置２０は、自車両が遭遇する複数の事象のうち、停止行動又は判断不能の決定がされた事象が、他の事象と所定距離以内となる場合には、事象よりも上流側であって停止可能な位置にて自車両を停止させる。ある事象について停止行動又は判断不能の決定がされた場合であっても、その事象に応じた停止位置が他の事象に応じた停止位置と接近乃至重なる場合には、他の事象に関する判断との整合を考慮する必要があるので、停止位置として適切ではない。本実施形態の運転計画装置２０を用いることにより、第２経路内ではなく、上流側の停止可能な位置に停止位置を設定できる。これにより、判断不能とされるケースを低減できる。また、判断処理の負荷を低減させるとともに、ストップ アンド ゴーを繰り返すことなく、シーンの領域Ｒ１内をスムーズに走行できる。
【０２４１】
［４−７］本実施形態の運転計画装置２０は、自車両が遭遇する複数の事象のうち、一の事象について進行行動が決定され、その事象の次に遭遇する他の事象について停止行動又は判断不能が決定された場合において、一の事象と他の事象との離隔度合が所定値以上である場合には、一の事象について自車両を進行させる運転計画を立案する。離隔した事象において上流側では「進行」下流側では「停止」という異なる判断が示された場合には、上流側の事象では自車両Ｖ１を進行させることにより、複雑な処理にならないようにすることができる。
【０２４２】
［４−８］本実施形態の運転計画装置２０は、自車両が遭遇する複数の事象のうち、一の事象について進行行動が決定され、当該事象の次に遭遇する他の事象について停止行動又は判断不能が決定された場合において、一の事象における進行行動の速度を低下させる運転計画を立案する。駐車車両などが存在し、その駐車車両を回避することは可能であるが、その駐車車両が死角を生じさせて対象物を十分に検出できないような場合には、進行を許可しつつ、駐車車両を回避する時の速度を低くする。これにより、安全に配慮しつつ交通流を妨げないようできる。
【０２４３】
［４−９］本実施形態の走行支援装置１００は、自車両が走行する第１経路と、第１経路と交点を有する第２経路との関係に基づいて、第１経路を走行する自車両が遭遇する複数の事象を抽出し、抽出された複数の事象を自車両が遭遇する順序に沿って並べ替え、評価された自車両と経時的に遭遇する複数の事象との関係を用いて、自車両が遭遇するシーンに対して一連の運転計画を立案する。本実施形態の走行支援装置１００を用いることにより、必要な事象についての評価に基づいて運転計画を立案できる。検討すべき事象が絞り込まれているので、適切な運転計画を立案しつつ、処理時間を短縮できる。これにより遅延時間の短い走行支援を実行できる。
【０２４４】
［４−１０］本実施形態の運転計画方法は、自車両が第１経路を走行する際に経時的に遭遇する複数の事象と自車両との関係についての評価結果を用いて、自車両が遭遇するシーンについて運転計画を立案する。本実施形態の運転計画方法を用いれば、４−１に記載した作用効果を得ることができる。
【０２４５】
［５−１］本実施形態の運転計画装置２０は、自車両が第１経路を走行する際に経時的に遭遇する複数の事象と自車両との関係についての評価結果を用いて、自車両を停止させる一又は複数の停止位置候補を事象ごとに設定し、停止位置候補において遭遇する複数の事象と自車両との関係についての評価結果を用いて、自車両が遭遇するシーンについて運転計画を立案する。本実施形態の運転計画装置２０を用いることにより、第１経路と第２経路とが交点を有する交通において、停止位置候補において遭遇する複数の事象と自車両Ｖ１との関係を考慮して運転計画を立案するので、他車両や歩行者などに影響を及ぼさない運転を実現できる。
【０２４６】
［５−２］本実施形態の運転計画装置２０は、自車両が遭遇するシーンにおいて、複数の停止位置候補のうち最も自車両に近い停止位置候補を、自車両を停止させる停止位置として決定する。本実施形態の運転計画装置２０によれば、停止位置候補のうち、自車両Ｖ１の現在位置に最も近い位置で自車両Ｖ１を停止させるので、交通流に対して与える影響を抑制できる。
【０２４７】
［５−３］本実施形態の運転計画装置２０は、自車両の停止が要求される停止位置よりも所定距離だけ上流側の位置に、停止位置候補を設定する。本実施形態の運転計画装置２０を用いれば、交通規則情報２２４において定義された停止位置よりも自車両の現在位置に近い位置で自車両Ｖ１を停止させるので、交通流に対して与える影響を抑制できる。
【０２４８】
［５−４］本実施形態の運転計画装置２０は、自車両の駐停車が禁止された領域の外延よりも所定距離だけ上流側の位置に、停止位置候補を設定する。実際の交通規則情報２２４において定義された停止位置よりも自車両の現在位置に近い位置で自車両Ｖ１を停止させるので、交通流に対して与える影響を抑制できる。
【０２４９】
［５−５］本実施形態の運転計画装置２０は、第１経路と交差する他の第２経路の走行可能領域外に停止位置候補を設定する。第２経路の車線内又はその走行可能領域の外延よりも自車両Ｖ１の現在位置に近い位置で自車両Ｖ１を停止させるので、交通流に対して与える影響を抑制できる。
【０２５０】
［５−６］本実施形態の運転計画装置２０は、自車両が一の事象を通過するときに自車両の車体が、第１経路をはみだす場合には、一の事象の一つ上流側の停止位置候補に自車両を停止させる運転計画を立案する。自車両Ｖ１が第１経路以外にはみ出す場合、つまり、自車両Ｖ１の車体が他の経路の車線内又はその走行可能領域内に進入する可能性がある場合には、自車両Ｖ１の現在位置により近い事象の位置で自車両Ｖ１を停止させるので、交通流に対して与える影響を抑制できる。
【０２５１】
［５−７］本実施形態の運転計画装置２０は、第１経路の交通信号又は第１経路の交通規則に応じて、自車両が遭遇する事象が生じない領域には停止位置候補を設定しない。本実施形態の運転計画装置２０によれば、停止が必要とされない場面で停止することを避けて、スムーズな走行を実行できる。
【０２５２】
［５−８］本実施形態の運転計画装置２０は、第１経路と交点を有する第２経路から、第１経路の停止位置候補の位置に流入する他車両の速度が規定の速度以下である場合には、停止位置候補の一つ上流側の他の停止位置候補について停止を決定する。第１経路の停止位置候補の位置に流入する他車両の速度が規定の速度以下である場合には、自車両の現在位置に近い停止位置候補で停車することにより、他車両や歩行者の流れに影響を与えない運転行動をとることができる。
【０２５３】
［５−９］本実施形態の走行支援装置１００は、自車両が走行する第１経路と、第１経路と交点を有する第２経路との関係に基づいて、第１経路を走行する自車両が遭遇する複数の事象を抽出し、抽出された自車両と事象との関係に基づいて、自車両を停止させる一又は複数の停止位置候補を事象ごとに設定し、停止位置候補において遭遇する複数の事象と自車両との関係についての評価結果に応じて、自車両を停止させる停止位置を決定するとともに、停止位置において自車両を停止させる。本実施形態の走行支援装置１００を用いることにより、必要な事象についての評価に基づいて運転計画を立案できる。検討すべき事象が絞り込まれているので、適切な運転計画を立案しつつ、処理時間を短縮できる。これにより遅延時間の短い走行支援を実行できる。
【０２５４】
［５−１０］本実施形態の運転計画方法は、自車両が第１経路を走行する際に経時的に遭遇する複数の事象と自車両との関係についての評価結果を用いて、自車両を停止させる一又は複数の停止位置候補を事象ごとに設定し、停止位置候補において遭遇する複数の事象と自車両との関係についての評価結果を用いて、自車両が遭遇するシーンについて運転計画を立案する。本実施形態の運転計画方法を用いれば、５−１に記載した作用効果を得ることができる。
【０２５５】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０２５６】
すなわち、本明細書では、本発明に係る走行支援装置の一態様として、シーン評価装置１０と、運転計画装置２０と出力装置３０とを有する走行支援装置１００を例にして説明するが、本発明はこれに限定されるものではない。
【０２５７】
本明細書では、本発明に係るシーン評価装置の一態様として、評価プロセッサ１１を有するシーン評価装置１０を例にして説明するが、本発明はこれに限定されるものではない。本明細書では、本発明に係る運転計画装置の一態様として、運転計画プロセッサ２１を有する運転計画装置２０を例にして説明するが、本発明はこれに限定されるものではない。本明細書では、本発明に係る出力装置の一態様として、出力制御プロセッサ３１を有する出力装置３０を例にして説明するが、本発明はこれに限定されるものではない。なお、評価プロセッサ１１、運転計画プロセッサ２１、出力制御プロセッサ３１は、一つのプロセッサとして構成してもよいし、複数に分割して構成してもよい。
【０２５８】
本明細書では、車載装置の例として、車両コントローラ２１０と、ナビゲーション装置２２０と、対象物検出装置２３０と、車線逸脱防止装置２４０と、出力装置２５０と、検出装置２６０と、駆動装置２７０と、操舵装置２８０とを備える車載装置２００を例にして説明するが、本発明はこれに限定されるものではない。本発明に係るシーン評価装置、運転計画装置、出力装置、又は走行支援装置のいずれかが、出願時において車両に適用可能な各種装置とともに配置されることは制限されない。
【符号の説明】
【０２５９】
１…走行支援システム
１００…走行支援装置
１０…シーン評価装置
１１…評価プロセッサ
２０…運転計画装置
２１…運転計画プロセッサ
３０…出力装置
３１…出力制御プロセッサ
２１０…車両コントローラ
２２０…ナビゲーション装置
２２１…位置検出装置
２２２…地図情報
２２３…道路情報
２２４…交通規則情報
２３０…対象物検出装置
２３１…カメラ
２３２…レーダー装置
２４０…車線逸脱防止装置
２４１…カメラ
２４２…道路情報
２５０…出力装置
２５１…ディスプレイ
２５２…スピーカ
２６０…検出装置
２６１…舵角センサ
２６２…車速センサ
２６３…姿勢センサ
２７０…駆動装置
２７１…制動装置
２８０…操舵装置
【図１】
2017013748.tif 000003
【図２Ａ】
2017013748.tif 000004
【図２Ｂ】
2017013748.tif 000005
【図２Ｃ】
2017013748.tif 000006
【図２Ｄ】
2017013748.tif 000007
【図２Ｅ】
2017013748.tif 000008
【図２Ｆ】
2017013748.tif 000009
【図２Ｇ】
2017013748.tif 000010
【図３】
2017013748.tif 000011
【図４】
2017013748.tif 000012
【図５Ａ】
2017013748.tif 000013
【図５Ｂ】
2017013748.tif 000014
【図６】
2017013748.tif 000015
【図７Ａ】
2017013748.tif 000016
【図７Ｂ】
2017013748.tif 000017
【図８】
2017013748.tif 000018
【図９Ａ】
2017013748.tif 000019
【図９Ｂ】
2017013748.tif 000020
【図１０】
2017013748.tif 000021
【図１１Ａ】
2017013748.tif 000022
【図１１Ｂ】
2017013748.tif 000023
【図１２】
2017013748.tif 000024
【図１３Ａ】
2017013748.tif 000025
【図１３Ｂ】
2017013748.tif 000026
【図１３Ｃ】
2017013748.tif 000027
【図１３Ｄ】
2017013748.tif 000028
【図１４Ａ】
2017013748.tif 000029
【図１４Ｂ】
2017013748.tif 000030
【図１５】
2017013748.tif 000031
【図１６】
2017013748.tif 000032
【図１７】
2017013748.tif 000033
【図１８】
2017013748.tif 000034
【図１９】
2017013748.tif 000035
【図２０】
2017013748.tif 000036
【図２１】
2017013748.tif 000037
【図２２】
2017013748.tif 000038
【図２３】
2017013748.tif 000039
【図２４Ａ】
2017013748.tif 000040
【図２４Ｂ】
2017013748.tif 000041
【図２５】
2017013748.tif 000042
【図２６Ａ】
2017013748.tif 000043
【図２６Ｂ】
2017013748.tif 000044
【図２６Ｃ】
2017013748.tif 000045
【図２７Ａ】
2017013748.tif 000046
【図２７Ｂ】
2017013748.tif 000047
【図２７Ｃ】
2017013748.tif 000048
【図２７Ｄ】
2017013748.tif 000049
【図２８】
2017013748.tif 000050
【図２９】
2017013748.tif 000051
【図３０】
2017013748.tif 000052
【手続補正書】
【提出日】平成28年3月23日(2016.3.23)
【手続補正１】
【補正対象書類名】特許請求の範囲
【補正対象項目名】全文
【補正方法】変更
【補正の内容】
【特許請求の範囲】
【請求項１】
自車両の運転行動を決定する際に、経路を走行する自車両が遭遇するシーンを評価する評価プロセッサを備え、
前記評価プロセッサは、
第１経路を走行する自車両の経時的な移動予測線を算出し、前記第１経路と交点を有する第２経路と前記移動予測線との交点のうち、第２経路の進行方向に沿って最も上流側に位置する交点の位置に基づいて、前記自車両が遭遇する事象を抽出し、
前記抽出された事象と前記自車両との関係を用いて、前記シーンを評価するシーン評価装置。
【請求項２】
（削除）
【請求項３】
前記評価プロセッサは、
第１経路のうち車線が定義されていない領域を走行する場合には、地図情報を参照して、前記移動予測線を生成する請求項１に記載のシーン評価装置。
【請求項４】
自車両の運転行動を決定する際に、経路を走行する自車両が遭遇するシーンを評価する評価プロセッサを備え、
前記評価プロセッサは、
第１経路を走行する自車両の経時的な移動予測帯を算出し、前記第１経路と交点を有する第２経路と、前記移動予測帯との交点のうち、最も早いタイミングで得られる交点であって、第２経路の進行方向に沿って最も上流側に位置する交点の位置に基づいて、前記自車両が遭遇する事象を抽出し、
前記抽出された事象と前記自車両との関係を用いて、前記シーンを評価するシーン評価装置。
【請求項５】
前記評価プロセッサは、
第１経路のうち車線が定義されていない領域を走行する場合には、地図情報を参照して、前記移動予測帯を生成する請求項４に記載のシーン評価装置。
【請求項６】
前記評価プロセッサは、
ノードとリンクが定義された地図情報を参照し、前記自車両が走行する第１経路に対応づけられたノードであって、他の複数のノードと接続関係が定義された第１ノードを抽出し、前記第１ノードと接続関係が定義された他のノードが属する経路を前記第２経路として選択する請求項１，３〜５の何れか一項に記載のシーン評価装置。
【請求項７】
前記評価プロセッサは、
前記抽出された前記自車両が遭遇する複数の事象の距離が所定値未満である場合には、前記複数の事象を一の事象に統合する請求項１，３〜６の何れか一項に記載のシーン評価装置。
【請求項８】
請求項１，３〜７の何れか一項に記載のシーン評価装置と、
経路を走行する自車両の運転行動を計画する運転計画プロセッサと、を備え、
前記運転計画プロセッサは、
前記評価プロセッサによって抽出された複数の事象に対して進行行動又は停止行動の何れか一方を決定する走行支援装置。
【請求項９】
経路を走行する自車両が遭遇するシーンを評価する評価プロセッサを用いて、
第１経路を走行する自車両の経時的な移動予測線を算出し、前記第１経路と交点を有する第２経路と、前記移動予測線との交点のうち、第２経路の進行方向に沿って最も上流側に位置する交点の位置に基づいて、前記自車両が遭遇する事象を抽出し、
前記抽出された事象と前記自車両との関係を用いて、前記シーンを評価するシーン評価方法。
【国際調査報告】
2017013748.tif 000053
2017013748.tif 000054